(57)【要約】【目的】  本発明は、荷重を受けても偏心し難く且つボディの収容孔への収容が容易である端子を提供する。【構成】  端子１００ａは、第１固定部１１０ａと、第２固定部１２０ａと、連結部１３０ａと、第１可動接点部１４０ａとを備えている。第１、第２固定部１１０ａ、１２０ａは、ボディ２００のＹ−Ｙ’方向に延びた収容孔２１０ａの第１、第２部２１１ａ、２１２ａに固定可能なＺ−Ｚ’方向の寸法を有している。第２固定部１２０ａは、第１固定部１１０ａとＹ−Ｙ’方向に間隔をあけて配置されている。連結部１３０ａは、第１固定部１１０ａと第２固定部１２０ａとを連結し且つ第１、第２固定部１１０ａ、１２０ａのＺ−Ｚ’方向の寸法よりも小さいＺ−Ｚ’方向の寸法を有している。第１可動接点部１４０ａは、第１固定部１１０ａから第２固定部１２０ａ側に延び且つＺ−Ｚ’方向に弾性変形可能である。【選択図】      図２Ａ
2015069741.tif 000002
【特許請求の範囲】
【請求項１】
絶縁樹脂製のボディの第１方向に延びた収容孔の第１部に固定可能な前記第１方向に交差する第２方向の寸法を有する第１固定部と、
前記第１固定部と前記第１方向に間隔をあけて配置されており且つ前記ボディの前記収容孔の第２部に固定可能な前記第２方向の寸法を有する第２固定部と、
前記第１固定部と前記第２固定部とを連結しており且つ前記第１、第２固定部の前記第２方向の寸法よりも小さい前記第２方向の寸法を有する連結部と、
前記第１固定部から前記第２固定部側に延びており且つ前記第２方向に弾性変形可能な第１可動接点部とを備えている端子。
【請求項２】
請求項１記載の端子において、
前記連結部の前記第１方向の寸法が、前記第１可動接点部の前記第１方向の寸法よりも大きく、
前記第２固定部が、前記第１可動接点部よりも前記第１方向の一方側に位置している端子。
【請求項３】
請求項１又は２記載の端子において、
前記第２固定部は、ベースと、
前記ベースに設けられた突出部とを有しており、
前記ベースの前記第１、第２方向に交差する第３方向の寸法と、前記突出部の前記第３方向の寸法との和が、前記収容孔の前記第２部の前記第３方向の寸法と略同じ又は若干大きい端子。
【請求項４】
請求項１〜３の何れかに記載の端子において、
前記第１固定部は、ベースと、
前記第１固定部の前記ベースに設けられた突出部とを有しており、
前記第１固定部の前記ベースの前記第１、第２方向に交差する第３方向の寸法と、前記第１固定部の前記突出部の前記第３方向の寸法との和が、前記収容孔の前記第１部の前記第３方向の寸法と略同じ又は若干大きい端子。
【請求項５】
請求項４記載の端子において、
前記第１固定部の前記ベースは、前記第２方向の一方側の第１端と、
前記第２方向の他方側の第２端とを有しており、
前記第１固定部の前記突出部は、二つであり、
前記二つの突出部のうちの一方の突出部が前記第１固定部の前記ベースの前記第１端に設けられ、他方の突出部が前記第１固定部の前記ベースの前記第２端に設けられており、
前記一方の突出部の外面から前記他方の突出部の外面までの前記第２方向の距離が、前記ボディの前記収容孔の前記第１部の前記第２方向の寸法と略同じ又は若干大きい端子。
【請求項６】
請求項４に記載の端子において、
前記第１可動接点部は、前記突出部に固定された固定端と、
当該第１可動接点部の前記固定端の反対側の端である自由端とを有しており、
前記自由端と、前記ボディの前記収容孔の前記第２方向の一方側の壁面との位置関係は、当該第１可動接点部が初期位置に位置しているとき、前記自由端と前記一方側の壁面との間に間隙が生じ、当該第１可動接点部が前記初期位置から前記第２方向の一方側に弾性変形したとき、前記自由端が前記一方側の壁面に当接する位置関係である端子。
【請求項７】
請求項６記載の端子において、
前記第１可動接点部は、前記固定端と前記自由端との間に設けられた接触部をさらに有しており、前記接触部は、前記固定端および前記自由端よりも前記第２方向の他方側に位置しており、
前記固定端から前記接触部までの前記第１方向の距離が、前記自由端から前記接触部までの前記第１方向の距離よりも大きい端子。
【請求項８】
請求項６記載の端子において、
前記第１可動接点部は、前記固定端と前記自由端との間に設けられた接触部をさらに有しており、前記接触部は、前記固定端および前記自由端よりも前記第２方向の他方側に位置しており、
前記固定端から前記接触部までの前記第１方向の距離が、前記自由端から前記接触部までの前記第１方向の距離よりも小さい端子。
【請求項９】
請求項１〜８の何れかに記載の端子において、
前記第１可動接点部の前記第２方向の一方側に位置するように、前記第２固定部から前記第１固定部側に延びており且つ前記第１可動接点部が前記第２方向の一方側に弾性変形したとき、当該第１可動接点部に前記第２方向の一方側に押圧され、前記第２方向の一方側に弾性変形可能な第１付勢部をさらに備えている端子。
【請求項１０】
請求項４記載の端子において、
第２可動接点部をさらに備えており、
前記第１固定部の前記突出部は、二つであり、
前記第１可動接点部が前記二つの突出部のうちの一方の突出部から前記第２固定部側に延びており且つ前記第２方向の一方側に弾性変形可能であり、
前記第２可動接点部が他方の突出部から前記第２固定部側に延びており且つ前記第２方向の他方側に弾性変形可能である端子。
【請求項１１】
請求項１０に記載の端子において、
前記第１可動接点部は、前記一方の突出部に固定された固定端と、
当該第１可動接点部の前記固定端の反対側の端である自由端とを有しており、
前記自由端と、前記ボディの前記収容孔の前記第２方向の一方側の壁面との位置関係は、当該第１可動接点部が初期位置に位置しているとき、前記自由端と前記一方側の壁面との間に間隙が生じ、当該第１可動接点部が前記初期位置から前記第２方向の一方側に弾性変形したとき、前記自由端が前記一方側の壁面に当接する位置関係であり、
前記第２可動接点部は、前記他方の突出部に固定された固定端と、
当該第２可動接点部の前記固定端の反対側の端である自由端とを有しており、
当該第２可動接点部の前記自由端と、前記ボディの前記収容孔の前記第２方向の他方側の壁面との位置関係は、当該第２可動接点部が初期位置に位置しているとき、当該第２可動接点部の前記自由端と前記他方側の壁面との間に間隙が生じ、当該第２可動接点部が前記初期位置から前記第２方向の他方側に弾性変形したとき、当該第２可動接点部の前記自由端が前記他方側の壁面に当接する位置関係である端子。
【請求項１２】
請求項１１記載の端子において、
前記第１、第２可動接点部は、前記固定端と前記自由端との間に設けられた接触部をさらに有しており、前記第１可動接点部の前記接触部は、当該第１可動接点部の前記固定端および前記自由端よりも前記第２方向の他方側に位置し、前記第２可動接点部の前記接触部は、当該第２可動接点部の前記固定端および前記自由端よりも前記第２方向の一方側に位置しており、
前記第１、第２可動接点部の前記固定端から前記接触部までの前記第１方向の距離が、前記自由端から前記接触部までの前記第１方向の距離よりも大きい端子。
【請求項１３】
請求項１１記載の端子において、
前記第１、第２可動接点部は、前記固定端と前記自由端との間に設けられた接触部をさらに有しており、前記第１可動接点部の前記接触部は、当該第１可動接点部の前記固定端および前記自由端よりも前記第２方向の他方側に位置し、前記第２可動接点部の前記接触部は、当該第２可動接点部の前記固定端および前記自由端よりも前記第２方向の一方側に位置しており、
前記第１、第２可動接点部の前記固定端から前記接触部までの前記第１方向の距離が、前記自由端から前記接触部までの前記第１方向の距離よりも小さい端子。
【請求項１４】
請求項１１記載の端子において、
前記第１、第２可動接点部は、前記固定端と前記自由端との間に設けられた接触部をさらに有しており、前記第１可動接点部の前記接触部は、当該第１可動接点部の前記固定端および前記自由端よりも前記第２方向の他方側に位置し、前記第２可動接点部の前記接触部は、当該第２可動接点部の前記固定端および前記自由端よりも前記第２方向の一方側に位置しており、
前記第１可動接点部の前記接触部が、前記第２可動接点部の前記接触部よりも前記第１方向の一方側又は他方側に位置している端子。
【請求項１５】
請求項１０〜１３の何れかに記載の端子において、
前記第１可動接点部の前記第２方向の一方側に位置するように、前記第２固定部から前記第１固定部側に延びており且つ前記第１可動接点部が前記第２方向の一方側に弾性変形したとき、当該第１可動接点部に前記第２方向の一方側に押圧され、前記第２方向の一方側に弾性変形可能な第１付勢部と、
前記第２可動接点部の前記第２方向の他方側に位置するように、前記第２固定部から前記第１固定部側に延びており且つ前記第２可動接点部が前記第２方向の他方側に弾性変形したとき、当該第２可動接点部に前記第２方向の他方側に押圧され、前記第２方向の他方側に弾性変形可能な第２付勢部とをさらに備えている端子。
【請求項１６】
請求項１〜１５の何れかに記載の端子において、
前記連結部は、前記ボディの前記収容孔の壁面に当接可能な当接面と、
前記当接面に設けられた凹部又は孔とを有している端子。
【請求項１７】
請求項１〜１６の何れかに記載の端子において、
ケーブルが接続可能な接続部をさらに備えている端子。
【請求項１８】
請求項１〜１７の何れかに記載の端子と、
絶縁樹脂製のボディとを備えており、
前記ボディは、前記第１方向に延びており且つ前記端子を収容した収容孔を有しているコネクタ。
【請求項１９】
請求項１〜５の何れかに記載の端子と、
絶縁樹脂製のボディとを備えており、
前記端子の前記第１可動接点部は、前記第１固定部に固定された固定端と、
前記固定端の反対側の端である自由端と、
前記固定端と前記自由端との間に設けられた接触部とを有しており、
前記接触部は、前記固定端および前記自由端よりも前記第２方向の他方側に位置しており、
前記ボディは、前記第１方向に延びており且つ前記端子を収容した収容孔と、
当該ボディの前記収容孔より前記第１方向の一方側の部分に設けられた挿入孔とを有しており、
前記挿入孔は、前記第１可動接点部の前記自由端よりも前記第２方向の他方側に配置された前記第２方向の一方側の壁面を有しているコネクタ。
【請求項２０】
請求項１０記載の端子と、
絶縁樹脂製のボディとを備えており、
前記端子の前記第１、第２可動接点部は、前記第１固定部に固定された固定端と、
前記固定端の反対側の端である自由端と、
前記固定端と前記自由端との間に設けられた接触部とを有しており、
前記第１可動接点部の前記接触部は、当該第１可動接点部の前記固定端および前記自由端よりも前記第２方向の他方側に位置しており、
前記第２可動接点部の前記接触部は、当該第２可動接点部の前記固定端および前記自由端よりも前記第２方向の一方側に位置しており、
前記ボディは、第１方向に延びており且つ前記端子を収容した収容孔と、
当該ボディの前記収容孔より前記第１方向の一方側の部分に設けられた挿入孔とを有しており、
前記挿入孔は、前記第１可動接点部の前記自由端よりも前記第２方向の他方側に配置された前記第２方向の一方側の壁面と、
前記第２可動接点部の前記自由端よりも前記第２方向の一方側に配置された前記第２方向の他方側の壁面とを有しているコネクタ。
【発明の詳細な説明】
【技術分野】
【０００１】
本発明は、端子およびこれを備えたコネクタに関する。
【背景技術】
【０００２】
下記特許文献１〜２には、相手方コネクタのピンが接続可能な端子が記載されている。この端子は、絶縁樹脂製のボディの収容孔内に収容されている。端子は、板状のベースと、一対の突出部と、一対の可動接点部とを有している。突出部は、ベースの幅方向の両端に立設されている。可動接点部は、突出部からベースの長さ方向の一方側（先端側）に延びたアームであって、当該可動接点部の中間部が互いに近づくように略Ｖ字状に折り曲げられている。相手方コネクタのピンが可動接点部間に挿入されると、可動接点部が互いに離れる方向に弾性変形し、ピンを弾性的に挟持する。このようにして端子と相手方コネクタのピンとが接続される。
【先行技術文献】
【特許文献】
【０００３】
【特許文献１】実開昭５３-２６９０号公報
【特許文献２】実開昭５８−３７６７４号公報
【発明の概要】
【発明が解決しようとする課題】
【０００４】
特許文献１の端子は、前記突出部の前記幅方向の外面間の距離が、前記ベースの前記幅寸法よりも大きい。当該端子が前記ボディの前記収容孔に収容された状態で、前記突出部が前記収容孔の前記幅方向の壁面に当接する。しかし、前記ベースは、前記壁面から間隙を有して配置される。このため、相手方コネクタのピンが可動接点部間に挿入されるとき、当該ピンに可動接点部の一方が、他方に比べて大きな荷重で押圧されると、当該端子の先端部（前記ベースの先端部および前記可動接点部の先端部）が前記幅方向の何れか一方に偏心する恐れがある。
【０００５】
特許文献２の端子は、前記突出部の前記幅方向の外面間の距離と、前記ベースの先端部を除く部分の前記幅方向の寸法とが略同じであり、前記突出部および前記ベースの先端部を除く部分が前記収容孔の前記幅方向の壁面に当接している。このため、相手方コネクタのピンが可動接点部間に挿入され、当該ピンに可動接点部の一方が、他方に比べて大きな荷重で押圧されても、当該端子の先端部（前記ベースの先端部および前記可動接点部の先端部）が前記幅方向の何れか一方に偏心し難い。しかし、前記突出部および前記ベースの先端部を除く部分が前記収容孔の前記幅方向の壁面に当接する構成であるので、当該端子を前記ボディの収容孔に収容させ難い。
【０００６】
本発明は、上記事情に鑑みて創案されたものであって、その目的とするところは、荷重を受けても偏心し難く且つボディの収容孔への収容が容易である端子およびこれを備えたコネクタを提供することにある。
【課題を解決するための手段】
【０００７】
上記課題を解決するために、本発明の端子は、第１固定部と、第２固定部と、連結部と、第１可動接点部とを備えている。前記第１固定部は、絶縁樹脂製のボディの第１方向に延びた収容孔の第１部に固定可能な前記第１方向に交差する第２方向の寸法を有している。前記第２固定部は、前記第１固定部と前記第１方向に間隔をあけて配置されており且つ前記ボディの前記収容孔の第２部に固定可能な前記第２方向の寸法を有している。前記連結部は、前記第１固定部と前記第２固定部とを連結しており且つ前記第１、第２固定部の前記第２方向の寸法よりも小さい前記第２方向の寸法を有している。前記第１可動接点部は、前記第１固定部から前記第２固定部側に延びており且つ前記第２方向に弾性変形可能である。
【０００８】
このような態様の端子による場合、第１、第２固定部がボディの収容孔の第１方向の間隔をあけた二箇所（第１、第２部）に固定される。よって、相手方コネクタの端子によって第１可動接点部が荷重を受けて第２方向に弾性変形するとき、当該端子が第２方向に偏心することを抑制することができる。しかも、第１、第２固定部の第２方向の寸法がボディの収容孔の第１、第２部に固定可能な寸法である一方、連結部の第２方向の寸法が第１、第２固定部の第２方向の寸法よりも小さいので、当該端子をボディの収容孔に収容させるときに、連結部が第２方向においてボディに接触しない。よって、当該端子のボディの収容孔への収容を容易に行うことができる。
【０００９】
前記連結部の前記第１方向の寸法が、前記第１可動接点部の前記第１方向の寸法よりも大きくすることが可能である。前記第２固定部が、前記第１可動接点部よりも前記第１方向の一方側に位置した構成とすることが可能である。
【００１０】
このような態様の端子による場合、第２固定部が第１可動接点部よりも第１方向の一方側で、ボディの収容孔の第２部に固定されるので、第１可動接点部が荷重を受けて第２方向に弾性変形するとき、当該端子が第２方向に偏心することをさらに抑制することができる。
【００１１】
前記第２固定部は、ベースと、前記ベースに設けられた突出部とを有する構成とすることが可能である。前記ベースの前記第１、第２方向に交差する第３方向の寸法と、前記突出部の前記第３方向の寸法との和が、前記収容孔の前記第２部の前記第３方向の寸法と略同じ又は若干大きくすることが可能である。
【００１２】
このような態様の端子による場合、第２固定部がボディの収容孔の第２部に第２方向および第３方向において固定されるので、当該端子がボディの収容孔に収容された状態が安定する。
【００１３】
前記第１固定部は、ベースと、前記ベースに設けられた突出部とを有する構成とすることが可能である。前記第１固定部の前記ベースの前記第１、第２方向に交差する第３方向の寸法と、前記第１固定部の前記突出部の前記第３方向の寸法との和が、前記収容孔の前記第１部の前記第３方向の寸法と略同じ又は若干大きくすることが可能である。
【００１４】
このような態様の端子による場合、第１固定部がボディの収容孔の第１部に第２方向および第３方向において固定されるので、当該端子がボディの収容孔に収容された状態が安定する。
【００１５】
前記第１固定部の前記ベースは、前記第２方向の一方側の第１端と、前記第２方向の他方側の第２端とを有する構成とすることが可能である。前記第１固定部の前記突出部は、二つとすることが可能である。前記二つの突出部のうちの一方の突出部が前記第１固定部の前記ベースの前記第１端に設けられ、他方の突出部が前記第１固定部の前記ベースの前記第２端に設けられた構成とすることが可能である。前記一方の突出部の外面から前記他方の突出部の外面までの前記第２方向の距離が、前記ボディの前記収容孔の前記第１部の前記第２方向の寸法と略同じ又は若干大きくすることが可能である。このような態様の端子による場合、一方の突出部の外面および他方の突出部の外面がボディの収容孔の第１部に当接することによって、第１固定部がボディの収容孔の第１部に第２方向において固定される。
【００１６】
前記第１可動接点部は、前記突出部に固定された固定端と、当該第１可動接点部の前記固定端の反対側の端である自由端とを有する構成とすることが可能である。前記自由端と、前記ボディの前記収容孔の前記第２方向の一方側の壁面との位置関係は、当該第１可動接点部が初期位置に位置しているとき、前記自由端と前記一方側の壁面との間に間隙が生じ、当該第１可動接点部が前記初期位置から前記第２方向の一方側に弾性変形したとき、前記自由端が前記一方側の壁面に当接する位置関係とすることが可能である。
【００１７】
このような態様の端子による場合、第１可動接点部が初期位置に位置しているとき、自由端と一方側の壁面との間に間隙が生じているので、相手方コネクタの端子が第１可動接点部を押圧するとき、小さな荷重で第１可動接点部を第２方向の一方側に弾性変形させることが可能になる。第１可動接点部が荷重を受けて第２方向の一方側に弾性変形すると、自由端が一方側の壁面に当接するので、第１可動接点部の相手方コネクタの端子に対する接触圧が増大する。
【００１８】
前記第１可動接点部は、前記固定端と前記自由端との間に設けられた接触部をさらに有する構成とすることが可能である。前記接触部は、前記固定端および前記自由端よりも前記第２方向の他方側に位置した構成とすることが可能である。前記固定端から前記接触部までの前記第１方向の距離が、前記自由端から前記接触部までの前記第１方向の距離よりも大きくすることが可能である。又は、前記固定端から前記接触部までの前記第１方向の距離が、前記自由端から前記接触部までの前記第１方向の距離よりも小さくすることが可能である。
【００１９】
このような態様の端子による場合、固定端から接触部までの第１方向の距離を、自由端から接触部までの第１方向の距離よりも大きく又は小さくすることによって、第１可動接点部の相手方コネクタの端子に対する最適な接触圧が得られる。
【００２０】
上記端子は、第１付勢部をさらに備えた構成とすることが可能である。前記第１付勢部は、前記第１可動接点部の前記第２方向の一方側に位置するように、前記第２固定部から前記第１固定部側に延びており且つ前記第１可動接点部が前記第２方向の一方側に弾性変形したとき、当該第１付勢部が当該第１可動接点部に前記第２方向の一方側に押圧され、前記第２方向の一方側に弾性変形可能な構成とすることが可能である。
【００２１】
このような態様の端子による場合、相手方コネクタの端子が第１可動接点部を押圧するとき、第１可動接点部と共に第１付勢部が弾性変形する。これにより、第１付勢部が第１可動接点部を付勢するので、第１可動接点部の相手方コネクタの端子に対する接触圧を増大させることができる。
【００２２】
上記端子は、第２可動接点部をさらに備えた構成とすることが可能である。前記第１固定部の前記突出部は、二つとすることが可能である。前記第１可動接点部が前記二つの突出部のうちの一方の突出部から前記第２固定部側に延びており且つ前記第２方向の一方側に弾性変形可能な構成とすることが可能である。前記第２可動接点部が他方の突出部から前記第２固定部側に延びており且つ前記第２方向の他方側に弾性変形可能な構成とすることが可能である。
【００２３】
このような態様の端子による場合、相手方コネクタの端子が第１、第２可動接点部の間に挿入されると、第１可動接点部が第２方向の一方側に弾性変形し、第２可動接点部が第２方向の他方側に弾性変形し、当該第１、第２可動接点部が相手方コネクタの端子を弾性的に挟持するので、第１、第２可動接点部の相手方コネクタの端子に対する接触圧をさらに増大させることができる。
【００２４】
前記第１可動接点部は、前記一方の突出部に固定された固定端と、当該第１可動接点部の前記固定端の反対側の端である自由端とを有する構成とすることが可能である。前記自由端と、前記ボディの前記収容孔の前記第２方向の一方側の壁面との位置関係は、当該第１可動接点部が初期位置に位置しているとき、前記自由端と前記一方側の壁面との間に間隙が生じ、当該第１可動接点部が前記初期位置から前記第２方向の一方側に弾性変形したとき、前記自由端が前記一方側の壁面に当接する位置関係とすることが可能である。前記第２可動接点部は、前記他方の突出部に固定された固定端と、前記固定端の反対側の端である自由端とを有する構成とすることが可能である。前記自由端と、前記ボディの前記収容孔の前記第２方向の他方側の壁面との位置関係は、当該第２可動接点部が初期位置に位置しているとき、前記自由端と前記他方側の壁面との間に間隙が生じ、当該第２可動接点部が前記初期位置から前記第２方向の他方側に弾性変形したとき、前記自由端が前記他方側の壁面に当接する位置関係とすることが可能である。
【００２５】
このような態様の端子による場合、第１、第２可動接点部が初期位置に位置しているとき、自由端と一方側の壁面、他方側の壁面との間に間隙が生じているので、相手方コネクタの端子が第１、第２可動接点部の間に挿入され、当該第１、第２可動接点部を押圧するとき、小さな荷重で第１、第２可動接点部を弾性変形させることが可能になる。第１、第２可動接点部が荷重を受けて弾性変形すると、第１、第２可動接点部の自由端が一方側の壁面、他方の壁面に当接するので、第１、第２可動接点部の相手方コネクタの端子に対する接触圧が増大する。
【００２６】
前記第１、第２可動接点部は、前記固定端と前記自由端との間に設けられた接触部をさらに有した構成とすることが可能である。前記第１可動接点部の前記接触部は、当該第１可動接点部の前記固定端および前記自由端よりも前記第２方向の他方側に位置した構成とすることが可能である。前記第２可動接点部の前記接触部は、当該第２可動接点部の前記固定端および前記自由端よりも前記第２方向の一方側に位置した構成とすることが可能である。前記第１、第２可動接点部の前記固定端から前記接触部までの前記第１方向の距離が、前記自由端から前記接触部までの前記第１方向の距離よりも大きくすることが可能である。又は、前記第１、第２可動接点部の前記固定端から前記接触部までの前記第１方向の距離が、前記自由端から前記接触部までの前記第１方向の距離よりも小さくすることが可能である。
【００２７】
このような態様の端子による場合、第１、第２可動接点部の固定端から接触部までの第１方向の距離を、自由端から接触部までの第１方向の距離よりも大きく又は小さくすることによって、第１、第２可動接点部の相手方コネクタの端子に対する最適な接触圧が得られる。
【００２８】
又は、前記第１可動接点部の前記接触部が、前記第２可動接点部の前記接触部よりも前記第１方向の一方側又は他方側に位置した構成とすることが可能である。このような態様の端子による場合、第１、第２可動接点部の固有振動数が相違するので、第１、第２可動接点部が相手方コネクタの端子を弾性的に挟持した状態で、振動および又は衝撃を受けたとしても、第１、第２可動接点部の少なくとも一方と相手方コネクタの端子とが接続された状態を維持することができる可能性が向上する。
【００２９】
上記端子は、第１付勢部と、第２付勢部とをさらに備えた構成とすることが可能である。前記第１付勢部は、前記第１可動接点部の前記第２方向の一方側に位置するように、前記第２固定部から前記第１固定部側に延びており且つ前記第１可動接点部が前記第２方向の一方側に弾性変形したとき、当該第１付勢部が当該第１可動接点部に前記第２方向の一方側に押圧され、前記第２方向の一方側に弾性変形可能な構成とすることが可能である。前記第２付勢部は、前記第２可動接点部の前記第２方向の他方側に位置するように、前記第２固定部から前記第１固定部側に延びており且つ前記第２可動接点部が前記第２方向の他方側に弾性変形したとき、当該第２付勢部が当該第２可動接点部に前記第２方向の他方側に押圧され、前記第２方向の他方側に弾性変形可能な構成とすることが可能である。
【００３０】
このような態様の端子による場合、相手方コネクタの端子が第１、第２可動接点部間に挿入され、当該第１、第２可動接点部を押圧するとき、第１可動接点部と共に第１付勢部が弾性変形し、第２可動接点部と共に第２付勢部が弾性変形する。これにより、第１、第２付勢部が第１、第２可動接点部を付勢するので、第１、第２可動接点部の相手方コネクタの端子に対する接触圧を増大させることができる。
【００３１】
前記連結部は、前記ボディの前記収容孔の壁面に当接可能な当接面と、前記当接面に設けられた凹部又は孔とを有する構成とすることが可能である。このような態様の端子による場合、凹部又は孔によって、連結部の当接面の収容孔の壁面に対する接触面積が低減される。よって、当該端子のボディの収容孔への収容をさらに容易に行うことができる。
【００３２】
上記端子は、ケーブルが接続可能な接続部をさらに備えた構成とすることが可能である。
【００３３】
本発明のコネクタは、上述した何れかの態様の端子と、絶縁樹脂製のボディとを備えている。前記ボディは、第１方向に延びており且つ前記端子を収容した収容孔を有している。
【００３４】
前記端子の前記第１可動接点部は、前記第１固定部に固定された固定端と、前記固定端の反対側の端である自由端と、前記固定端と前記自由端との間に設けられた接触部とを有した構成とすることが可能である。前記接触部は、前記固定端および前記自由端よりも前記第２方向の他方側に位置した構成とすることが可能である。前記ボディは、当該ボディの前記収容孔より前記第１方向の一方側の部分に設けられた挿入孔をさらに有する構成とすることが可能である。前記挿入孔は、前記第１可動接点部の前記自由端よりも前記第２方向の他方側に配置された前記第２方向の一方側の壁面を有した構成とすることが可能である。
【００３５】
このような態様のコネクタによる場合、相手方コネクタの端子がボディの挿入孔からボディ内に挿入されるとき、当該相手方コネクタの端子が第１可動接点部の自由端に衝突しない。挿入孔の第２方向の一方側の壁面が、第１可動接点部の自由端よりも第２方向の他方側（内側）に位置しているためである。よって、相手方コネクタの端子が第１可動接点部の自由端に衝突することによって、第１可動接点部が座屈しない。
【００３６】
前記端子の前記第１、第２可動接点部は、前記第１固定部に固定された固定端と、前記固定端の反対側の端である自由端と、前記固定端と前記自由端との間に設けられた接触部とを有した構成とすることが可能である。前記第１可動接点部の前記接触部は、当該第１可動接点部の前記固定端および前記自由端よりも前記第２方向の他方側に位置した構成とすることが可能である。前記第２可動接点部の前記接触部は、当該第２可動接点部の前記固定端および前記自由端よりも前記第２方向の一方側に位置した構成とすることが可能である。前記ボディは、当該ボディの前記収容孔より前記第１方向の一方側の部分に設けられた挿入孔をさらに有する構成とすることが可能である。前記挿入孔は、前記第１可動接点部の前記自由端よりも前記第２方向の他方側に配置された前記第２方向の一方側の壁面と、前記第２可動接点部の前記自由端よりも前記第２方向の一方側に配置された前記第２方向の他方側の壁面とを有する構成とすることが可能である。
【００３７】
このような態様のコネクタによる場合、相手方コネクタの端子がボディの挿入孔からボディ内に挿入されるとき、当該相手方コネクタの端子が第１、第２可動接点部の自由端に衝突しない。挿入孔の第２方向の一方側、他方側の壁面が、第１、第２可動接点部の自由端よりも第２方向の他方側（内側）、一方側（内側）に位置しているためである。よって、相手方コネクタの端子が第１、第２可動接点部の自由端に衝突することによって、第１、第２可動接点部が座屈しない。
【図面の簡単な説明】
【００３８】
【図１Ａ】本発明の実施例１に係るコネクタの正面、平面および右側面を表した斜視図である。
【図１Ｂ】前記コネクタの背面、底面および左側面を表した斜視図である。
【図２Ａ】前記コネクタの図１Ａ中の２Ａ−２Ａ断面図である。
【図２Ｂ】前記コネクタの図１Ａ中の２Ｂ−２Ｂ断面図である。
【図２Ｃ】前記コネクタの図１Ａ中の２Ｃ−２Ｃ断面図である。
【図３Ａ】前記コネクタ（ケーブルを除く。）の正面、平面および右側面を表した分解斜視図である。
【図３Ｂ】前記コネクタ（ケーブルを除く。）の背面、底面および左側面を表した分解斜視図である。
【図４Ａ】本発明の実施例１に係る端子の正面、平面および右側面を表した斜視図である。
【図４Ｂ】前記端子の背面、底面および左側面から表した斜視図である。
【図５】前記コネクタと相手方コネクタとの接続状態を示す断面図である。
【図６】本発明の実施例２に係るコネクタのボディおよび端子の断面図である。
【発明を実施するための形態】
【００３９】
以下、本発明の実施例１及び２について説明する。
【実施例１】
【００４０】
以下、本発明の実施例１に係るコネクタＣ１について図１Ａ〜図５を参照しつつ説明する。図１Ａ〜図３Ｂに示すコネクタＣ１は、二つの端子１００ａ（特許請求の範囲の端子に相当）と、二つの端子１００ｂ（特許請求の範囲の端子に相当）と、ボディ２００と、遮蔽板３００と、シールドケース４００と、ケーブル５００と、リング６００と、ケース７００とを備えている。以下、コネクタＣ１の各構成要素について詳しく説明する。なお、図２Ａ、図２Ｂおよび図３Ａ〜図４Ｂに示すＹ−Ｙ’方向は、コネクタＣ１の長さ方向であり且つ特許請求の範囲の第１方向に相当する。Ｙ−Ｙ’方向のうちのＹ方向は、特許請求の範囲の第１方向の一方側に相当し、Ｙ’方向は特許請求の範囲の第１方向の他方側に相当する。図２Ａ、図２Ｃ、図３Ａ〜図４Ｂに示すＺ−Ｚ’方向は、コネクタＣ１の高さ方向であり且つ特許請求の範囲の第２方向に相当する。Ｚ−Ｚ’方向のうちのＺ方向は、特許請求の範囲の第２方向の一方側に相当し、Ｚ’方向は特許請求の範囲の第２方向の他方側に相当する。図２Ｂ〜図４Ｂに示すＸ−Ｘ’方向は、コネクタＣ１の幅方向であり且つ特許請求の範囲の第３方向に相当する。Ｘ−Ｘ’方向のうちのＸ方向は、第３方向の一方側に相当し、Ｘ’方向は第３方向の他方側に相当する。Ｚ−Ｚ’方向は、Ｙ−Ｙ’方向に略直角に交差している。Ｘ−Ｘ’方向は、Ｙ−Ｙ’方向およびＺ−Ｚ’方向に略直角に交差している。
【００４１】
ボディ２００は、図３Ａおよび図３Ｂに最も良く示されるように絶縁樹脂製のブロックである。ボディ２００は、図２Ａ〜図３Ｂに示すように、二つの収容孔２１０ａ（特許請求の範囲の収容孔に相当）と、二つの収容孔２１０ｂ（特許請求の範囲の収容孔に相当）と、二つのケーブル収容孔２２０ａと、二つのケーブル収容孔２２０ｂと、二つの挿入孔２３０ａ（特許請求の範囲の挿入孔に相当）と、二つの挿入孔２３０ｂ（特許請求の範囲の挿入孔に相当）と、二つの係合溝２４０ａと、二つの係合溝２４０ｂと、スリット２５０とを有している。
【００４２】
二つの収容孔２１０ａは、図２Ａに最も良く示されるように、ボディ２００のＸ方向側の部分にＺ−Ｚ’方向に間隔をあけて設けられている。収容孔２１０ａはＹ−Ｙ’方向に延びた角孔である。各収容孔２１０ａは、第１部２１１ａと、第２部２１２ａと、第３部２１３ａとを有している。第１部２１１ａは、収容孔２１０ａのＹ方向の端部である。第２部２１２ａは、収容孔２１０ａのＹ’方向の端部である。第３部２１３ａは、第１、第２部２１１ａ、２１２ａ間の部分である。第１部２１１ａ、第２部２１２ａおよび第３部２１３ａの形は同じである。第１部２１１ａは、Ｚ方向側の壁面２１１ａ１と、Ｚ’方向側の壁面２１１ａ２と、Ｘ方向側の壁面２１１ａ３（図２Ｂ参照）と、Ｘ’方向側の壁面２１１ａ４（図２Ｂ参照）とを有している。第２部２１２ａは、Ｚ方向側の壁面２１２ａ１と、Ｚ’方向側の壁面２１２ａ２と、Ｘ方向側の壁面２１２ａ３（図２Ｂ参照）と、Ｘ’方向側の壁面２１２ａ４（図２Ｂ参照）とを有している。第３部２１３ａは、Ｚ方向側の壁面２１３ａ１と、Ｚ’方向側の壁面２１３ａ２と、Ｘ方向側の壁面２１３ａ３（図２Ｂ参照）と、Ｘ’方向側の壁面２１３ａ４（図２Ｂ参照）とを有している。
【００４３】
二つの収容孔２１０ｂは、ボディ２００のＸ’方向側の部分にＺ−Ｚ’方向に間隔をあけて設けられている。収容孔２１０ｂはＸ−Ｘ’方向において収容孔２１０ａと対称形状である点で相違する以外、収容孔２１０ａと同じ角孔である。各収容孔２１０ｂは、第１部２１１ｂと、第２部２１２ｂと、第３部２１３ｂとを有している。
【００４４】
各ケーブル収容孔２２０ａは、ボディ２００の収容孔２１０ａに連通するように、ボディ２００の収容孔２１０ａよりもＹ’方向側の部分に設けられている。ケーブル収容孔２２０ａはＹ’方向に開口している。各ケーブル収容孔２２０ｂは、ボディ２００の収容孔２１０ｂに連通するように、ボディ２００の収容孔２１０ｂよりもＹ’方向側の部分に設けられている。ケーブル収容孔２２０ｂはＹ’方向に開口している。
【００４５】
各挿入孔２３０ａは、ボディ２００の収容孔２１０ａに連通するように、ボディ２００の収容孔２１０ａよりもＹ方向側の部分に設けられた矩形状の孔である。挿入孔２３０ａはＹ方向に開口している。挿入孔２３０ａのＺ−Ｚ’方向の断面形状は、図２Ｃに示すように、収容孔２１０ａのＺ−Ｚ’方向の断面形状よりも小さい。挿入孔２３０ａは、Ｚ方向側の壁面２３１ａと、Ｚ’方向側の壁面２３２ａとを有している。各挿入孔２３０ｂは、ボディ２００の収容孔２１０ｂに連通するように、ボディ２００の収容孔２１０ｂよりもＹ方向側の部分に設けられた矩形状の孔である。挿入孔２３０ｂはＹ方向に開口している。挿入孔２３０ｂのＺ−Ｚ’方向の断面形状は、図２Ｃに示すように、収容孔２１０ｂのＺ−Ｚ’方向の断面形状よりも小さい。挿入孔２３０ｂは、Ｚ方向側の壁面２３１ｂと、Ｚ’方向側の壁面２３２ｂとを有している。
【００４６】
各係合溝２４０ａは、ボディ２００の収容孔２１０ａの第１部２１１ａに連通するように、ボディ２００の第１部２１１ａよりもＸ方向側の部分に設けられている。各係合溝２４０ｂは、ボディ２００の収容孔２１０ｂの第１部２１１ｂに連通するように、ボディ２００の第１部２１１ｂよりもＸ’方向側の部分に設けられている。
【００４７】
スリット２５０は、ボディ２００のＺ方向側の部分とＺ’方向側の部分との間に設けられている。Ｚ方向側の部分は、ボディ２００のＺ方向側の収容孔２１０ａ、２１０ｂおよびＺ方向側のケーブル収容孔２２０ａ、２２０ｂが設けられた部分である。Ｚ’方向側の部分は、ボディ２００のＺ’方向側の収容孔２１０ａ、２１０ｂおよびＺ’方向側のケーブル収容孔２２０ａ、２２０ｂが設けられた部分である。スリット２５０は、Ｙ’方向に開口している。また、スリット２５０のＸ−Ｘ’方向の両端部のうちＹ’方向側の部分がＸ−Ｘ’方向に開口している。
【００４８】
各端子１００ａは、図２Ａ〜図４Ｂに示すように、金属板で構成されている。各端子１００ａは、第１固定部１１０ａと、第２固定部１２０ａと、連結部１３０ａと、第１可動接点部１４０ａと、第２可動接点部１５０ａと、接続部１６０ａと、保持部１７０ａとを備えている。
【００４９】
第１固定部１１０ａは、図４Ａおよび図４Ｂに最も良く示されるように、断面視略Ｃ字状の金属板である。第１固定部１１０ａは、ベース１１１ａと、二つの突出部１１２ａと、係合片１１３ａとを有している。ベース１１１ａは略矩形状の金属板である。ベース１１１ａは、Ｚ方向の第１端１１１ａ１と、Ｚ’方向の第２端１１１ａ２と、Ｙ方向の第３端１１１ａ３と、Ｙ’方向の第４端１１１ａ４とを有している。係合片１１３ａは、ベース１１１ａの中央部がカットされた部分であって、ＸおよびＹ’方向に傾斜するようにベース１１１ａに対して折り曲げられている。二つの突出部１１２ａのうちの一方の突出部１１２ａは、ベース１１１ａの第１端１１１ａ１に設けられた金属板であって、Ｘ’方向に延びている。他方の突出部１１２ａは、ベース１１１ａの第２端１１１ａ２に設けられた金属板であって、Ｘ’方向に延びている。突出部１１２ａは、Ｙ方向の端１１２ａ１を有している。
【００５０】
第１固定部１１０ａは、ボディ２００の収容孔２１０ａの第１部２１１ａ内に固定されるＺ−Ｚ’方向の寸法Ｄ１およびＸ−Ｘ’方向の寸法Ｄ２を有している。具体的には、Ｄ１は、図２Ａに示すように、突出部１１２ａの外面（図２Ａの図示上下面）間のＺ−Ｚ’方向の距離である。Ｄ１は、収容孔２１０ａの第１部２１１ａのＺ−Ｚ’方向の寸法と略同じ又は若干小さい。このため、一方の突出部１１２ａの外面が第１部２１１ａのＺ方向側の壁面２１１ａ１に当接し、他方の突出部１１２ａの外面がＺ’方向側の壁面２１１ａ２に当接している。Ｄ２は、図２Ｂに示すように、ベース１１１ａのＸ−Ｘ’方向の寸法と突出部１１２ａのＸ−Ｘ’方向の寸法との和である。Ｄ２は、収容孔２１０ａの第１部２１１ａのＸ−Ｘ’方向の寸法と略同じ又は若干小さい。このため、ベース１１１ａが第１部２１１ａのＸ方向側の壁面２１１ａ３に当接し、突出部１１２ａのＸ’方向の端面が第１部２１１ａのＸ’方向側の壁面２１１ａ４に当接している。係合片１１３ａが係合溝２４０ａに係合されている。
【００５１】
第２固定部１２０ａは、図４Ａおよび図４Ｂに最も良く示されるように、断面視略Ｃ字状の金属板である。第２固定部１２０ａは、第１固定部１１０ａとＹ−Ｙ’方向に間隔をあけて配置されている。第２固定部１２０ａは、ベース１２１ａと、二つの突出部１２２ａとを有している。ベース１２１ａは略矩形状の金属板である。ベース１２１ａは、Ｚ方向の第１端１２１ａ１と、Ｚ’方向の第２端１２１ａ２とを有している。二つの突出部１２２ａのうちの一方の突出部１２２ａは、ベース１２１ａの第１端１２１ａ１に設けられた金属板であって、Ｘ’方向に延びている。他方の突出部１２２ａは、ベース１２１ａの第２端１２１ａ２に設けられた金属板であって、Ｘ’方向に延びている。
【００５２】
第２固定部１２０ａは、ボディ２００の収容孔２１０ａの第２部２１２ａ内に固定されるＺ−Ｚ’方向の寸法Ｄ３およびＸ−Ｘ’方向の寸法Ｄ４を有している。具体的には以下の通りである。Ｄ３は、図２Ａに示すように、突出部１２２ａの外面（図２Ａの図示上下面）間のＺ−Ｚ’方向の距離である。Ｄ３は、収容孔２１０ａの第２部２１２ａのＺ−Ｚ’方向の寸法と略同じ又は若干小さい。このため、一方の突出部１２２ａの外面が第２部２１２ａのＺ方向側の壁面２１２ａ１に当接し、他方の突出部１２２ａの外面がＺ’方向側の壁面２１２ａ２に当接する。Ｄ４は、図２Ｂに示すように、ベース１２１ａのＸ−Ｘ’方向の寸法と突出部１２２ａのＸ−Ｘ’方向の寸法との和である。Ｄ４は、収容孔２１０ａの第２部２１２ａのＸ−Ｘ’方向の寸法と略同じ又は若干小さい。このため、ベース１２１ａが第２部２１２ａのＸ方向側の壁面２１２ａ３に当接し、突出部１２２ａのＸ’方向の端面が第２部２１２ａのＸ’方向側の壁面２１２ａ４に当接する。なお、Ｄ３はＤ１と同じである。Ｄ４はＤ２と同じである。
【００５３】
連結部１３０ａは、第１固定部１１０ａの第３端１１１ａ３から第２固定部１２０ａまでＹ−Ｙ’方向に延びた金属板である。すなわち、連結部１３０ａが第１固定部１１０ａと第２固定部１２０ａとを連結している。連結部１３０ａのＹ−Ｙ’方向の寸法は、第１、第２可動接点部１４０ａ、１５０ａのＹ−Ｙ’方向の寸法よりも大きい。このため、第２固定部１２０ａが第１、第２可動接点部１４０ａ、１５０ａよりもＹ方向側に位置している。連結部１３０ａは、ボディ２００の収容孔２１０ａの第３部２１３ａ内に収容されている。連結部１３０ａは、図４Ｂに最も良く示されるように、当接面１３１ａと、凹部１３２ａとを有している。当接面１３１ａは、図２Ｂに最も良く示されるように、収容孔２１０ａの第３部２１３ａのＸ方向側の壁面２１３ａ３に当接している。凹部１３２ａは当接面１３１ａに設けられたＹ−Ｙ’方向に延びた長溝である。凹部１３２ａによって、当接面１３１ａの壁面２１３ａ３に対する接触面積が低減されている。連結部１３０ａのＺ−Ｚ’方向の寸法は、第１、第２固定部１１０ａ、１２０ａのＺ−Ｚ’方向の寸法（Ｄ１およびＤ３）よりも小さい。このため、連結部１３０ａは、図２Ａに示すように、第３部２１３ａのＺ方向側の壁面２１３ａ１およびＺ’方向側の壁面２１３ａ２に接触しない。
【００５４】
第１可動接点部１４０ａは、第１固定部１１０ａの一方の突出部１１２ａの端１１２ａ１からＹ方向（第２固定部１２０ａ側）に延びた略Ｖ字状の金属板である。第１可動接点部１４０ａは、ボディ２００の収容孔２１０ａの第３部２１３ａ内に収容されている。第１可動接点部１４０ａは、固定端１４１ａと、自由端１４２ａと、接触部１４３ａとを有している。固定端１４１ａは、第１可動接点部１４０ａのＹ’方向側の端であって、一方の突出部１１２ａの端１１２ａ１に一体的に設けられている（固定されている）。自由端１４２ａは、第１可動接点部１４０ａのＹ方向側の端（固定端１４１ａの反対側の端）である。接触部１４３ａは、第１可動接点部１４０ａの固定端１４１ａと自由端１４２ａとの間に設けられている。接触部１４３ａは、当該接触部１４３ａの頂部が固定端１４１ａおよび自由端１４２ａよりもＺ’方向側に位置するように、折り曲げられている。固定端１４１ａから接触部１４３ａの頂部までのＹ−Ｙ’方向の距離Ｌ１が、自由端１４２ａから接触部１４３ａの頂部までのＹ−Ｙ’方向の距離Ｌ２よりも大きい。
【００５５】
自由端１４２ａと、収容孔２１０ａの第３部２１３ａのＺ方向側の壁面２１３ａ１との位置関係は、第１可動接点部１４０ａが図２Ａに示すように初期位置に位置しているとき、自由端１４２ａと壁面２１３ａ１との間にＺ−Ｚ’方向において間隙が生じ、第１可動接点部１４０ａが図５示すように初期位置からＺ方向側に弾性変形したとき、自由端１４２ａが壁面２１３ａ１に当接する位置関係である。さらに、自由端１４２ａは、ボディ２００の挿入孔２３０ａのＺ方向側の壁面２３１ａよりもＺ方向側に位置している。換言すると、壁面２３１ａが自由端１４２ａよりもＺ’方向側に位置している。
【００５６】
第２可動接点部１５０ａは、第１固定部１１０ａの他方の突出部１１２ａの端１１２ａ１からＹ方向（第２固定部１２０ａ側）に延びた金属板である。第２可動接点部１５０ａは、Ｚ−Ｚ’方向において第１可動接点部１４０ａの対称形状である。第２可動接点部１５０ａは、固定端１５１ａと、自由端１５２ａと、接触部１５３ａとを有している。固定端１５１ａは、第２可動接点部１５０ａのＹ’方向側の端であって、他方の突出部１１２ａの端１１２ａ１に一体的に設けられている（固定されている）。自由端１５２ａは、第２可動接点部１５０ａのＹ方向側の端（固定端１５１ａの反対側の端）である。接触部１５３ａは、第２可動接点部１５０ａの固定端１５１ａと自由端１５２ａとの間に設けられている。接触部１５３ａは、当該接触部１５３ａの頂部が固定端１５１ａおよび自由端１５２ａよりもＺ方向側に位置するように、折り曲げられている。すなわち、接触部１４３ａ、１５３ａは、互いが接近するように折り曲げられている。固定端１５１ａから接触部１５３ａの頂部までのＹ−Ｙ’方向の距離Ｌ３が、自由端１５２ａから接触部１５３ａの頂部までのＹ−Ｙ’方向の距離Ｌ４よりも大きい。Ｌ３はＬ１と同じであり、Ｌ４はＬ２と同じである。
【００５７】
自由端１５２ａと、収容孔２１０ａの第３部２１３ａのＺ’方向側の壁面２１３ａ２との位置関係は、第２可動接点部１５０ａが図２Ａに示すように初期位置に位置しているとき、自由端１５２ａと壁面２１３ａ２との間にＺ−Ｚ’方向において間隙が生じ、第２可動接点部１５０ａが図５示すように初期位置からＺ’方向側に弾性変形したとき、自由端１５２ａが壁面２１３ａ２に当接する位置関係である。さらに、自由端１５２ａは、ボディ２００の挿入孔２３０ａのＺ’方向側の壁面２３２ａよりもＺ’方向側に位置している。換言すると、壁面２３２ａが自由端１５２ａよりもＺ方向側に位置している。
【００５８】
接続部１６０ａは、第１固定部１１０ａのＹ’方向側に位置するように、第１固定部１１０ａの第４端１１１ａ４に連設された金属板である。接続部１６０ａは、断面視略Ｃ字状に折り曲げられることによって、ケーブル５００の後述する信号線５２０の芯線５２１を保持している。これにより、端子１００ａがケーブル５００の信号線５２０に電気的に接続されている。なお、図４Ａ〜図４Ｂにおいて、接続部１６０ａは、ケーブル５００の芯線５２１を保持する前の状態が描かれている。
【００５９】
保持部１７０ａは、接続部１６０ａのＹ’方向側に位置するように、接続部１６０ａに連設された金属板である。保持部１７０ａは、断面視略Ｃ字状に折り曲げられることによって、ケーブル５００の信号線５２０の絶縁体５２２を保持している。なお、図４Ａ〜図４Ｂにおいて、保持部１７０ａは、絶縁体５２２を保持する前の状態が描かれている。
【００６０】
端子１００ｂは端子１００ａと同じものである。端子１００ｂは、端子１００ａに対してＸ−Ｘ’方向において逆向きとなるように、収容孔２１０ｂに収容されている。各端子１００ｂの第１、第２固定部１１０ｂ、１２０ｂが、端子１００ａの第１、第２固定部１１０ａ、１２０ａと同様に、ボディ２００の収容孔２１０ｂの第１、第２部２１１ｂ、２１２ｂに固定されている。各端子１００ｂの連結部１３０ｂは、端子１００ａの連結部１３０ａと同様に、収容孔２１０ｂの第３部２１３ｂに収容されている。各端子１００ｂの第１、第２可動接点部１４０ｂ、１５０ｂは、端子１００ａの第１、第２可動接点部１４０ａ、１５０ａと同様に、収容孔２１０ｂの第３部２１３ｂに収容されている。各端子１００ｂの接続部１６０ｂは、ケーブル５００の信号線５２０の芯線５２１を保持し、ボディ２００のケーブル収容孔２２０ｂに収容されている。各端子１００ｂの保持部１７０ｂは、ケーブル５００の信号線５２０の絶縁体５２２を保持し、ボディ２００のケーブル収容孔２２０ｂに収容されている。
【００６１】
ケーブル５００は、筒状の外側絶縁体５１０と、複数の信号線５２０と、図示しない外部導体とを有している。外部導体は筒状に網組みされた銅線であって、外側絶縁体５１０内に同心円状に配置されている。信号線５２０は、外側導体内に配置されている。各信号線５２０は、芯線５２１と、この芯線５２１を覆う絶縁体５２２とを有している。ケーブル５００の長さ方向の一端部において、外側導体の長さ方向の一端部（以下、突出部）が外側絶縁体５１０から突出しており、信号線５２０の長さ方向の一端部（以下、突出部）が外側導体の突出部から突出しており且つ芯線５２１の長さ方向の一端部（以下、突出部）が信号線５２０の絶縁体５２２から突出している。
【００６２】
遮蔽板３００は、図３Ａ〜図３Ｂに示すように、金属板である。遮蔽板３００は、ボディ２００のスリット２５０内に挿入されている。この遮蔽板３００は、Ｚ方向側の端子１００ａ、１００ｂと、Ｚ’方向側の端子１００ａ、１００ｂとの間に配置されている。遮蔽板３００のＸ−Ｘ’方向の両端部には、一対の接続アーム３１０が設けられている。一対の接続アーム３１０のうち一方の接続アーム３１０は、ＸおよびＹ’方向に斜めに延び、スリット２５０からＸ方向に突出している。他方の接続アーム３１０は、Ｘ’およびＹ’方向に斜めに延び、スリット２５０からＸ’方向に突出している。
【００６３】
シールドケース４００は、図３Ａ〜図３Ｂに示すように、金属板で構成されている。シールドケース４００は、第１シェル４１０と、第２シェル４２０と、リング状の保持部４３０とを有している。第１、第２シェル４１０、４２０は、角筒状の金属板であって、互いにＹ−Ｙ’方向に間隔をあけて配置されている。第１、第２シェル４１０、４２０のＺ’方向の金属板が相互に接続されている。第１シェル４１０のＸ方向の金属板、Ｘ’方向の金属板およびＺ’方向の金属板には、係合片４１１が各々設けられている。第１シェル４１０の内形がボディ２００の外形に対応している。第１、第２シェル４１０内に、端子１００ａ、１００ｂおよび遮蔽板３００が取り付けられたボディ２００が収容されている。第２シェル４２０内には、端子１００ａ、１００ｂに接続された信号線５２０の突出部も収容されている。第２シェル４２０のＸ−Ｘ’方向の両内面には、ボディ２００のスリット２５０に挿入された遮蔽板３００の接続アーム３１０が接触している。これにより、シールドケース４００と遮蔽板３００とが電気的に接続されている。
【００６４】
保持部４３０は、第２シェル４２０のＹ’方向側に位置するように、第２シェル４２０に接続されている。保持部４３０は、ケーブル５００の外側導体の突出部に外嵌している。これにより、シールドケース４００とケーブル５００の外側導体とが電気的に接続されている。
【００６５】
リング６００は、ケーブル５００の外側導体に外嵌した保持部４３０に外嵌している。このリング６００によって、保持部４３０がケーブル５００の外側導体に外嵌した状態が維持されている。
【００６６】
ケース７００は、絶縁樹脂で構成されている。ケース７００は、収容孔７１０と、第１、第２開口７２０、７３０と、三つの係合孔７４０とを有している。収容孔７１０は、ケース７００に設けられた角孔であって、Ｙ−Ｙ’方向に延びている。収容孔７１０の形は、シールドケース４００の第１、第２シェル４１０、４２０の外形に対応した形状となっている。収容孔７１０内に、端子１００ａ、１００ｂ、ボディ２００、シールドケース４００、リング６００およびケーブル５００の長さ方向の一端部が収容されている。第１開口７２０は、ボディ２００のＺ方向側の挿入孔２３０ａ、２３０ｂが露出するように、ケース７００の収容孔７１０よりもＹ方向側の部分に設けられている。第２開口７３０は、ボディ２００のＺ’方向側の挿入孔２３０ａ、２３０ｂが露出するように、ケース７００の収容孔７１０よりもＹ方向側の部分に設けられている。ケース７００の第１、第２開口７２０、７３０間の部分がボディ２００に当接している。
【００６７】
係合孔７４０は、収容孔７１０に連通するように、ケース７００の収容孔７１０よりもＸ方向側の部分、Ｘ’方向側の部分およびＺ’方向側の部分に設けられている。この係合孔７４０に、収容されたシールドケース４００の係合片４１１が各々係合されている。
【００６８】
以下、上述した構成のコネクタＣ１を組み立てる手順について詳しく説明する。まず、ボディ２００および遮蔽板３００を用意する。遮蔽板３００をボディ２００のスリット２３０に挿入する。すると、遮蔽板３００の一方の接続アーム３１０がスリット２３０からＸ方向に突出し、他方の接続アーム３１０がＸ’方向に突出する。
【００６９】
その後、端子１００ａ、１００ｂおよびケーブル５００を用意する。その後、ケーブル５００の信号線５２０の芯線５２１の突出部を端子１００ａ、１００ｂの接続部１６０ａ、１６０ｂに各々圧着又ははんだ付けし、固着させる。その後、信号線５２０の絶縁体５２２を端子１００ａ、１００ｂの保持部１７０ａ、１７０ｂに各々保持させる。その後、端子１００ａを、ボディ２００のケーブル収容孔２２０ａから収容孔２１０ａに各々挿入する。このとき、端子１００ａの第２固定部１２０ａが収容孔２１０ａの壁面（第１部２１１ａの壁面２１１ａ１〜２１１ａ４、第３部２１３ａの壁面２１３ａ１〜２１３ａ４および第２部２１２ａの壁面２１２ａ１〜２１２ａ４）上をスライドしつつ、当該収容孔２１０ａに収容される。第１固定部１１０ａが、収容孔２１０ａの壁面（第１部２１１ａの壁面２１１ａ１〜２１１ａ４）上をスライドしつつ、当該収容孔２１０ａに収容される。連結部１３０ａは、当接面１３１ａが収容孔２１０ａの第１部２１１ａのＸ方向側の壁面２１１ａ３および第３部２１３ａのＸ方向側の壁面２１３ａ３上をスライドしつつ、当該収容孔２１０ａに収容される。この収容時において、連結部１３０ａは、Ｚ−Ｚ’方向およびＸ’方向において収容孔２１０ａと非接触である。第１、第２可動接点部１４０ａ、１５０ａは、連結部１３０ａと共に、Ｚ−Ｚ’方向およびＸ−Ｘ’方向において収容孔２１０ａ’の壁面に非接触で収容孔２１０ａに収容される。端子１００ａの接続部１６０ａ、保持部１７０ａおよびこれらに保持されたケーブル５００の信号線５２０の突出部が、ボディ２００のケーブル収容孔２２０ａに各々収容される。
【００７０】
端子１００ａの第２固定部１２０ａ、連結部１３０ａ、第１、第２可動接点部１４０ａ、１５０ａおよび第１固定部１１０ａが収容孔２１０ａに収容されると、第２固定部１２０ａの一方の突出部１２２ａの外面が第２部２１２ａのＺ方向側の壁面２１２ａ１に当接し、他方の突出部１２２ａの外面がＺ’方向側の壁面２１２ａ２に当接する。第２固定部１２０ａのベース１２１ａが第２部２１２ａのＸ方向側の壁面２１２ａ３に当接し、突出部１２２ａのＸ’方向の端面が第２部２１２ａのＸ’方向側の壁面２１２ａ４に当接する。これにより、第２固定部１２０ａがＺ−Ｚ’方向およびＸ−Ｘ’方向において収容孔２１０ａの第２部２１２ａに位置固定される。連結部１３０ａの当接面１３１ａが収容孔２１０ａの第３部２１３ａのＸ方向側の壁面２１３ａ３に当接する。第１固定部１１０ａの一方の突出部１１２ａの外面が第１部２１１ａのＺ方向側の壁面２１１ａ１に当接し、他方の突出部１１２ａの外面がＺ’方向側の壁面２１１ａ２に当接する。第１固定部１１０ａのベース１１１ａが第１部２１１ａのＸ方向側の壁面２１１ａ３に当接し、突出部１１２ａのＸ’方向の端面が第１部２１１ａのＸ’方向側の壁面２１１ａ４に当接する。これにより、第１固定部１１０ａがＺ−Ｚ’方向およびＸ−Ｘ’方向において収容孔２１０ａの第１部２１１ａに位置固定される。係合片１１３ａがボディ２００の係合溝２４０ａに係合される。端子１００ａの第１可動接点部１４０ａの自由端１４２ａが収容孔２１０ａの壁面２１３ａ１と間隙を有して配置されると共に、当該自由端１４２ａがボディ２００の挿入孔２３０ａの壁面２３１ａよりもＺ方向側に配置される。端子１００ａの第２可動接点部１５０ａの自由端１５２ａが収容孔２１０ａの壁面２１３ａ２と間隙を有して配置されると共に、自由端１５２ａがボディ２００の挿入孔２３０ａの壁面２３２ａよりもＺ’方向側に配置される。
【００７１】
端子１００ａと同様に、端子１００ｂをボディ２００のケーブル収容孔２２０ｂから収容孔２１０ｂに挿入し、収容させる。これにより、第２固定部１２０ｂがＺ−Ｚ’方向およびＸ−Ｘ’方向において収容孔２１０ｂの第２部２１２ｂに位置固定される。第１固定部１１０ｂがＺ−Ｚ’方向およびＸ−Ｘ’方向において収容孔２１０ｂの第１部２１１ｂに位置固定される。連結部１３０ｂおよび第１、第２可動接点部１４０ｂ、１５０ｂが収容孔２１０ｂの第３部２１３ｂ内に収容される。係合片１１３ｂがボディ２００の係合溝２４０ｂに係合される。端子１００ｂの接続部１６０ｂ、保持部１７０ｂおよびこれらに保持されたケーブル５００の信号線５２０の突出部が、ボディ２００のケーブル収容孔２２０ｂに各々収容される。
【００７２】
その後、シールドケース４００を用意する。その後、ボディ２００をシールドケース４００の第２、第１シェル４２０、４１０に挿入する。すると、ボディ２００が第２、第１シェル４２０、４１０内に嵌合する。このとき、ボディ２００に取り付けられた遮蔽板３００の一対の接続アーム３１０が第２シェル４２０のＸ−Ｘ’方向の両内面に接触する。ケーブル５００の信号線５２０のケーブル収容孔２２０ａ、２２０ｂから突出した部分が第２シェル４２０に挿入される。その後、シールドケース４００の保持部４３０にケーブル５００の上記外側導体の外側絶縁体５２０から突出した部分を保持させる。これにより、シールドケース４００および遮蔽板３００がケーブル５００の上記外側導体に電気的に接続される。
【００７３】
その後、ケース７００を用意する。ケース７００の収容孔７１０にシールドケース４００の第１、第２シェル４１０、４２０を嵌合させると共に、保持部４３０を収容させる。これにより、端子１００ａ、１００ｂ、ボディ２００、遮蔽板３００およびシールドケース４００およびケーブル５００の長さ方向の一端部がケース７００内に収容される。
【００７４】
コネクタＣ１は、図５に示すように、相手方コネクタＲに接続可能である。相手方コネクタＲは、基板１に実装されたレセプタクルコネクタである。相手方コネクタＲは、二つの端子Ｒ１０（図示一つ）と、二つの端子Ｒ２０（図示一つ）と、絶縁樹脂製のボディＲ３０と、シェルＲ４０とを備えている。ボディＲ３０には、コネクタＣ１が接続可能な接続孔Ｒ３１が設けられている。また、ボディＲ３０には、接続孔Ｒ３１に連通するＺ方向側の二つの保持孔Ｒ３２（図示一つ）およびＺ’方向側の二つの保持孔Ｒ３３（図示一つ）が設けられている。端子Ｒ１０は、ボディＲ３０の保持孔Ｒ３２に部分的に保持された断面Ｌ字状の金属板であって、基板１に接続されている。端子Ｒ１０のピンＲ１１が保持孔Ｒ３２から接続孔Ｒ３１内に突出している。端子Ｒ２０は、ボディＲ３０の保持孔Ｒ３３に部分的に保持された断面Ｌ字状の金属板であって、基板１に接続されている。端子Ｒ２０のピンＲ２１が保持孔Ｒ３３から接続孔Ｒ３１内に突出している。シェルＲ４０は、ボディＲ３０を覆っている。
【００７５】
上記コネクタＣ１を相手方コネクタＲの接続孔Ｒ３１に嵌合させると、端子Ｒ１０のピンＲ１１がボディ２００のＺ方向側の挿入孔２３０ａ、２３０ｂからＺ方向側の収容孔２１０ａ、２１０ｂに各々挿入される。端子Ｒ２０のピンＲ２１がボディ２００のＺ’方向側の挿入孔２３０ａ、２３０ｂからＺ’方向側の収容孔２１０ａ、２１０ｂに各々挿入される。すると、ピンＲ１１がＺ方向側の端子１００ａの第１、第２可動接点部１４０ａ、１５０ａの間に挿入され、第１、第２可動接点部１４０ａ、１５０ａの接触部１４３ａ、１５３ａがピンＲ１１に押圧される（荷重が加えられる）。これにより、第１、第２可動接点部１４０ａ、１５０ａが互いに離れる方向に弾性変形する。具体的には、第１可動接点部１４０ａが初期位置からＺ方向に弾性変形し、自由端１４２ａが収容孔２１０ａのＺ方向側の壁面２１３ａ１に当接し、第１可動接点部１４０ａが自由端１４２ａと第１固定部１１０ａの一方の突出部１１２ａとにより二点支持される。第２可動接点部１５０ａが初期位置からＺ’方向に弾性変形し、自由端１５２ａが収容孔２１０ａのＺ’方向側の壁面２１３ａ２に当接し、第２可動接点部１５０ａが自由端１５２ａと第１固定部１１０ａの他方の突出部１１２ａとにより二点支持される。これにより、第１、第２可動接点部１４０ａ、１５０ａの接触部１４３ａ、１５３ａがピンＲ１１を大きな接触圧で挟持する。これにより、端子１００ａと端子Ｒ１０とが接続される。同様に、端子Ｒ１０がＺ方向側の端子１００ｂに接続される。端子Ｒ２０がＺ’方向側の端子１００ａ、１００ｂに接続される。
【００７６】
上述したコネクタＣ１は、以下の技術的特徴を有する。第１に、コネクタＣ１が相手方コネクタＲに接続されるとき、端子１００ａの第１、第２可動接点部１４０ａ、１５０ａが端子Ｒ１０、Ｒ２０に、端子１００ｂの第１、第２可動接点部１４０ｂ、１５０ｂが端子Ｒ１０、Ｒ２０に押圧されても、端子１００ａ、１００ｂがＺ−Ｚ’方向に偏心する可能性を抑制することができる。その理由は以下の通りである。端子１００ａの第１固定部１１０ａがボディ２００の収容孔２１０ａの第１部２１１ａにＺ−Ｚ’方向およびＸ−Ｘ’方向において固定されると共に、第２固定部１２０ａがボディ２００の収容孔２１０ａの第２部２１２ａに第１、第２可動接点部１４０ａ、１５０ａよりもＹ方向側でＺ−Ｚ’方向およびＸ−Ｘ’方向において固定されているからである。また、端子１００ｂの第１固定部１１０ｂがボディ２００の収容孔２１０ｂの第１部２１１ｂにＺ−Ｚ’方向およびＸ−Ｘ’方向において固定されると共に、第２固定部１２０ｂがボディ２００の収容孔２１０ｂの第２部２１２ｂに第１、第２可動接点部１４０ｂ、１５０ｂよりもＹ方向側でＺ−Ｚ’方向およびＸ−Ｘ’方向において固定されているからである。
【００７７】
第２に、端子１００ａをボディ２００の収容孔２１０ａに収容させ易い。なぜなら、端子１００ａの連結部１３０ａのＺ−Ｚ’方向の寸法が、第１、第２固定部１１０ａ、１２０ｂのＺ−Ｚ’方向の寸法よりも小さい。よって、端子１００ａをボディ２００の収容孔２１０ａに挿入するとき、連結部１３０ａの当接面１３１ａが収容孔２１０ａのＸ方向側の壁面２１１ａ３、２１３ａ３上をスライドするものの、連結部１３０ａが収容孔２１０ａのＺ方向側の壁面２１１ａ１、２１３ａ１およびＺ’方向側の壁面２１１ａ２、２１３ａ２上をスライドしない。また、当接面１３１ａに凹部１３２ａが設けられているため、壁面２１１ａ３、２１３ａ３に対する接触面積が低減されている。端子１００ｂも、端子１００ａと同様の理由で、ボディ２００の収容孔２１０ｂに収容させ易い。
【００７８】
第３に、ボディ２００の挿入孔２３０ａから収容孔２１０ａ内に挿入された端子Ｒ１０、Ｒ２０が、端子１００ａの第１、第２可動接点部１４０ａ、１５０ａを押圧することによって、第１、第２可動接点部１４０ａ、１５０ａが座屈する可能性が低減される。ボディ２００の挿入孔２３０ａのＺ方向側の壁面２３１ａが、第１可動接点部１４０ａの自由端１４２ａよりもＺ’方向側に配置され、挿入孔２３０ａのＺ’方向側の壁面２３２ａが第２可動接点部１５０ａの自由端１５２ａよりもＺ方向側に配置されている。このため、挿入孔２３０ａに挿入された端子Ｒ１０、Ｒ２０が、第１、第２可動接点部１４０ａ、１５０ａの自由端１４２ａ、１５２ａに衝突するのを防止することができる。換言すると、端子Ｒ１０、Ｒ２０が、第１、第２可動接点部１４０ａ、１５０ａの自由端１４２ａ、１５２ａに衝突することで、第１、第２可動接点部１４０ａ、１５０ａが座屈するのを防止することができる。端子１００ｂの第１、第２可動接点部１４０ｂ、１５０ｂも、端子１００ａと同様に、座屈するのを防止することができる。
【００７９】
第４に、端子Ｒ１０、Ｒ２０が端子１００ａの第１、第２可動接点部１４０ａ、１５０ａ間に小さな荷重で挿入できる一方、第１、第２可動接点部１４０ａ、１５０ａが端子Ｒ１０、Ｒ２０を挟持するときの当該第１、第２可動接点部１４０ａ、１５０ａの端子Ｒ１０、Ｒ２０に対する接触圧を増大させることができる。その理由は以下の通りである。初期位置に位置した第１、第２可動接点部１４０ａ、１５０ａの自由端１４２ａ、１５２ａは、収容孔２１０ａの壁面２１３ａ１、２１３ａ２に間隙を有して配置されている。このため、端子Ｒ１０、Ｒ２０が端子１００ａの第１、第２可動接点部１４０ａ、１５０ａ間に挿入されると、小さな荷重で第１、第２可動接点部１４０ａ、１５０ａが互いに離れる方向に弾性変形可能である。一方、第１、第２可動接点部１４０ａ、１５０ａが互いに離れる方向に弾性変形すると、第１、第２可動接点部１４０ａ、１５０ａの自由端１４２ａ、１５２ａが壁面２１３ａ１、２１３ａ２に当接する。すなわち、第１、第２可動接点部１４０ａ、１５０ａが、自由端１４２ａ、１５２ａと第１固定部１１０ａとに二点支持されるので、挟持するときの第１、第２可動接点部１４０ａ、１５０ａの端子Ｒ１０、Ｒ２０に対する接触圧を増大させることができる。同様に、端子Ｒ１０、Ｒ２０は端子１００ｂの第１、第２可動接点部１４０ｂ、１５０ｂ間に小さな荷重で挿入できる一方、挟持するときの第１、第２可動接点部１４０ｂ、１５０ｂの端子Ｒ１０、Ｒ２０に対する接触圧を増大させることができる。
【００８０】
第５に、第１、第２可動接点部１４０ａ、１５０ａの端子Ｒ１０、Ｒ２０に対する最適な接触圧が得られる。固定端１４１ａから接触部１４３ａの頂部までのＹ−Ｙ’方向の距離Ｌ１が、自由端１４２ａから接触部１４３ａの頂部までのＹ−Ｙ’方向の距離Ｌ２よりも大きく、固定端１５１ａから接触部１５３ａの頂部までのＹ−Ｙ’方向の距離Ｌ３が、自由端１５２ａから接触部１５３ａの頂部までのＹ−Ｙ’方向の距離Ｌ４よりも大きくなっている。このように距離Ｌ１およびＬ２を可変させることによって、第１可動接点部１４０ａの端子Ｒ１０、Ｒ２０に対する最適な接触圧が得られ、距離Ｌ３およびＬ４を可変させることによって、第２可動接点部１５０ａの端子Ｒ１０、Ｒ２０に対する最適な接触圧が得られる。
【実施例２】
【００８１】
以下、本発明の実施例２に係るコネクタＣ２について図６を参照しつつ説明する。図６に示すコネクタＣ２は、端子１００ａ’と、ボディ２００’と、図示しないケーブルとを備えている。以下、コネクタＣ２の各構成要素について詳しく説明する。なお、図６に示すＹ−Ｙ’方向は、コネクタＣ２の長さ方向であり且つ特許請求の範囲の第１方向に相当する。Ｙ−Ｙ’方向のうちのＹ方向は、特許請求の範囲の第１方向の一方側に相当し、Ｙ’方向は特許請求の範囲の第１方向の他方側に相当する。Ｚ−Ｚ’方向は、コネクタＣ２の高さ方向であり且つ特許請求の範囲の第２方向に相当する。Ｚ−Ｚ’方向のうちのＺ方向は、特許請求の範囲の第２方向の一方側に相当し、Ｚ’方向は特許請求の範囲の第２方向の他方側に相当する。図６に図示しないＸ−Ｘ’方向は、コネクタＣ２の幅方向であり且つ特許請求の範囲の第３方向に相当する。Ｘ−Ｘ’方向のうちのＸ方向は、第３方向の一方側に相当し、Ｘ’方向は第３方向の他方側に相当する。Ｚ−Ｚ’方向は、Ｙ−Ｙ’方向に略直角に交差している。Ｘ−Ｘ’方向は、Ｙ−Ｙ’方向およびＺ−Ｚ’方向に略直角に交差している。
【００８２】
ボディ２００’は絶縁樹脂製のブロックである。ボディ２００’は、ボディ本体と、図示しないカバーと、収容孔２１０ａ’と、ケーブル収容孔２２０ａ’と、挿入孔２３０ａ’とを有している。
【００８３】
収容孔２１０ａ’はボディ本体に設けられ、Ｙ−Ｙ’方向に延びている。収容孔２１０ａは、Ｘ’方向に開口している。この収容孔２１０ａの開口が、カバーによって閉塞されている。収容孔２１０ａ’は、第１部２１１ａ’と、第２部２１２ａ’と、第３部２１３ａ’と、第４部２１４ａ’とを有している。第１部２１１ａ’は、収容孔２１０ａ’のＹ方向の端部である。第１部２１１ａ’は、実施例１の第１部２１１ａと同じ構成である。第１部２１１ａは、Ｚ方向側の壁面２１１ａ１’と、Ｚ’方向側の壁面２１１ａ２’と、Ｘ方向側の壁面と、Ｘ’方向側の壁面’（カバーの一部）とを有している。第２部２１２ａ’は、収容孔２１０ａ’のＹ’方向の端部である。第２部２１２ａ’のＺ−Ｚ’方向の寸法は、第１部２１１ａ’のＺ−Ｚ’方向の寸法よりも大きい。第２部２１２ａ’のＸ−Ｘ’方向の寸法は、第１部２１１ａ’のＸ−Ｘ’方向の寸法と同じである。第２部２１２ａ’は、Ｚ方向側の壁面２１２ａ１’と、Ｚ’方向側の壁面２１２ａ２’と、Ｘ方向側の壁面と、Ｘ’方向側の壁面（カバーの一部）とを有している。第３部２１３ａ’および第４部２１４ａは、第１、第２部２１１ａ’、２１２ａ’間に設けられている。第３部２１３ａ’は、第４部２１４ａ’よりも第１部２１１ａ’側に位置している。第３部２１３ａ’のＺ−Ｚ’方向の寸法が、第１部２１１ａ’のＺ−Ｚ’方向の寸法と同じである。第３部２１３ａ’のＸ−Ｘ’方向の寸法が、第１部２１１ａ’のＸ−Ｘ’方向の寸法と同じである。第３部２１３ａ’は、Ｚ方向側の壁面と、Ｚ’方向側の壁面と、Ｘ方向側の壁面と、Ｘ’方向側の壁面（カバーの一部）とを有している。第４部２１４ａ’は、第３部２１３ａ’よりも第２部２１２ａ’側に位置している。第４部２１４ａ’のＺ−Ｚ’方向の寸法が、第２部２１２ａ’のＺ−Ｚ’方向の寸法よりも大きい。第４部２１４ａ’のＸ−Ｘ’方向の寸法が、第２部２１２ａ’のＸ−Ｘ’方向の寸法と同じである。第４部２１４ａ’は、Ｚ方向側の壁面２１４ａ１’と、Ｚ’方向側の壁面２１４ａ２’と、Ｘ方向側の壁面と、Ｘ’方向側の壁面（カバーの一部）とを有している。
【００８４】
ケーブル挿入孔２２０ａ’は、ボディ本体の収容孔２１０ａ’に連通するように、収容孔２１０ａ’よりもＹ’方向側の部分に設けられている。ケーブル収容孔２２０ａ’はＹ’方向およびＸ’方向に開口している。ケーブル収容孔２２０ａ’のＸ’方向の開口はカバーによって閉塞されている。挿入孔２３０ａ’は、ボディ２００’の収容孔２１０ａ’に連通するように、収容孔２１０ａ’よりもＹ方向側の部分に設けられている。
【００８５】
端子１００ａ’は、金属板で構成されている。端子１００ａ’は、第１固定部１１０ａ’と、第２固定部１２０ａ’と、連結部１３０ａ’と、第１可動接点部１４０ａ’と、第２可動接点部１５０ａ’と、接続部１６０ａ’と、保持部１７０ａ’と、第１、第２付勢部１８１ａ’、１８２ａ’と、第１、第２当接部１９１ａ’、１９２ａ’とを有している。
【００８６】
第１固定部１１０ａ’は実施例１の第１固定部１１０ａと同じ構成であり、収容孔２１０ａ’の第１部２１１ａ’にＺ−Ｚ’方向およびＸ−Ｘ’方向において固定されている。よって、第１固定部１１０ａ’について、実施例１の第１固定部１１０ａと重複する説明は省略する。
【００８７】
第２固定部１２０ａ’は、断面視略Ｃ字状の金属板である。第２固定部１２０ａ’は、ベース１２１ａ’のＺ−Ｚ’方向の寸法が、実施例１の第２固定部１２０ａのベース１２１ａのＺ−Ｚ’方向よりも大きい点で、第２固定部１２０ａと相違する以外、略同じ構成である。よって、第２固定部１２０ａ’についても、実施例１の第２固定部１２０ａと重複する説明は省略する。ベース１２１ａ’のＺ−Ｚ’方向の寸法は、第１固定部１１０ａ’のベース１１１ａ’のＺ−Ｚ’方向の寸法よりも大きい。一対の突出部１２２ａ’のうちの一方の突出部１２２ａ’は、第１可動接点部１４０ａ’よりもＺ方向側に位置し、他方の突出部１２２ａ’は、第２可動接点部１５０ａよりもＺ’方向側に位置している。
【００８８】
第２固定部１２０ａ’は、収容孔２１０ａ’の第２部２１２ａ’内に固定されるＺ−Ｚ’方向の寸法およびＸ−Ｘ’方向の寸法を有している。具体的には以下の通りである。第２固定部１２０ａ’のＺ−Ｚ’方向の寸法は、一対の突出部１２２ａ’の外面（図示上下面）間のＺ−Ｚ’方向の距離である。この距離は、収容孔２１０ａ’の第２部２１２ａ’のＺ−Ｚ’方向の寸法と略同じ又は若干小さい。このため、一方の突出部１２２ａ’の外面が第２部２１２ａ’のＺ方向側の壁面２１２ａ１’に当接し、他方の突出部１２２ａ’の外面がＺ’方向側の壁面２１２ａ２’に当接する。第２固定部１２０ａ’のＸ−Ｘ’方向の寸法は、ベース１２１ａ’のＸ−Ｘ’方向の寸法と突出部１２２ａ’のＸ−Ｘ’方向の寸法との和である。この寸法は、収容孔２１０ａ’の第２部２１２ａ’のＸ−Ｘ’方向の寸法と略同じ又は若干小さい。このため、ベース１２１ａ’が第２部２１２ａ’のＸ方向側の壁面に当接し、突出部１２２ａ’のＸ’方向の端面が第２部２１２ａのＸ’方向側の壁面に当接する。
【００８９】
連結部１３０ａ’は、実施例１の連結部１３０ａと同じ構成である。連結部１３０ａ’は、第１固定部１１０ａ’と第２固定部１２０ａ’とを連結している。第１可動接点部１４０ａ’は、実施例１の第１可動接点部１４０ａと同じ構成である。第２可動接点部１５０ａ’は、実施例１の第２可動接点部１５０ａと同じ構成である。接続部１６０ａは、実施例１の接続部１６０ａと同じ構成であり、ケーブルの芯線に接続されている。保持部１７０ａは、実施例１の保持部１７０ａと同じ構成であり、ケーブルを保持している。よって、これらについても、実施例１と重複する説明は省略する。
【００９０】
第１付勢部１８１ａ’は、第１可動接点部１４０ａ’のＺ方向側に位置するように、一方の突出部１２２ａ’からＹ’方向側（第１固定部１１０ａ’側）に延びた金属板である。第１付勢部１８１ａのＹ−Ｙ’方向の寸法は、収容孔２１０ａの第４部２１４ａ’のＹ−Ｙ’方向の寸法よりも小さい。第１付勢部１８１ａ’は、第４部２１４ａ’内に、Ｚ方向側の端面２１４ａ１’とＺ−Ｚ’方向において間隙を有して配置されている。第１付勢部１８１ａ’は、初期位置からＺ方向側に弾性変形可能である。第１付勢部１８１ａ’の初期位置は、第１付勢部１８１ａ’と端面２１４ａ１’とが略平行な位置である。
【００９１】
第２付勢部１８２ａ’は、第２可動接点部１５０ａ’のＺ’方向側に位置するように、他方の突出部１２２ａ’からＹ’方向側（第１固定部１１０ａ’側）に延びた金属板である。第２付勢部１８２ａのＹ−Ｙ’方向の寸法は、収容孔２１０ａの第４部２１４ａ’のＹ−Ｙ’方向の寸法よりも小さい。第２付勢部１８２ａ’は、第４部２１４ａ’内に、Ｚ’方向側の端面２１４ａ２’とＺ−Ｚ’方向において間隙を有して配置されている。第２付勢部１８２ａ’は、初期位置からＺ’方向側に弾性変形可能である。第２付勢部１８２ａ’の初期位置は、第２付勢部１８２ａ’と端面２１４ａ２’とが略平行な位置である。
【００９２】
第１当接部１９１ａ’は、第１付勢部１８１ａ’からＺ’方向に延びた金属板である。第１当接部１９１ａ’は、は、第４部２１４ａ’内に、第１可動接点部１４０ａ’と間隙を有して配置されている。第１当接部１９１ａ’は、第１付勢部１８１ａ’の弾性変形に伴って、Ｚ方向に変位可能である。
【００９３】
第２当接部１９２ａ’は、第２付勢部１８２ａ’からＺ方向に延びた金属板である。第２当接部１９２ａ’は、は、第４部２１４ａ’内に、第２可動接点部１５０ａ’と間隙を有して配置されている。第２当接部１９２ａ’は、第２付勢部１８２ａ’の弾性変形に伴って、Ｚ’方向に変位可能である。
【００９４】
以下、上述した端子１００ａ’をボディ２００’の収容孔２１０ａ’およびケーブル収容孔２２０ａ’に挿入する手順について詳しく説明する。まず、端子１００ａ’およびケーブルを用意する。その後、ケーブルの芯線の絶縁体から突出した部分を端子１００ａ’の接続部１６０ａに圧着又ははんだ付けし、固着させる。その後、ケーブルの絶縁体を端子１００ａ’の保持部１７０ａ’に保持させる。その後、ボディ本体を用意する。端子１００ａ’を、Ｘ’方向からボディ本体の収容孔２１０ａ’およびケーブル収容孔２２０ａ’に挿入する。このとき、端子１００ａ’の第２固定部１２０ａ’の一対の突出部１２２ａ’が第２部２１２ａ’の壁面２１２ａ１’、２１２ａ２’上をスライドしつつ、第２部２１２ａに収容される。端子１００ａ’の第１固定部１１０ａ’の一対の突出部１１２ａ’が、第１部２１１ａ’の壁面２１１ａ１’、２１１ａ２’上をスライドしつつ、当該収容孔２１０ａに収容される。連結部１３０ａ’および第１、第２可動接点部１４０ａ’、１５０ａ’は、Ｚ−Ｚ’方向およびＸ−Ｘ’方向において収容孔２１０ａ’の第３部２１３ａ’および第４部２１４ａ’の壁面に非接触で、当該第３部２１３ａ’および第４部２１４ａ’内に収容される。第１、第２付勢部１８１ａ’、１８２ａおよび第１、第２当接部１９１ａ’、１９２ａ’は、Ｚ−Ｚ’方向およびＸ−Ｘ’方向において収容孔２１０ａ’の第３部２１３ａ’の壁面に非接触で、当該第３部２１３ａ’内に収容される。接続部１６０ａ’、保持部１７０ａ’およびこれらに保持されたケーブルの一部が、ケーブル収容孔２２０ａ’に収容される。その後、カバーを用意する。カバーをボディ本体に固着させ、カバーに収容孔２１０ａ’およびケーブル収容孔２２０ａ’を閉塞させる。
【００９５】
端子１００ａ’の第２固定部１２０ａ’、連結部１３０ａ’、第１、第２可動接点部１４０ａ’、１５０ａ’、第１、第２付勢部１８１ａ’、１８２ａ’、第１、第２当接部１９１ａ’、１９２ａ’および第１固定部１１０ａ’が収容孔２１０ａ’に収容されると、第２固定部１２０ａ’の一方の突出部１２２ａ’の外面が第２部２１２ａ’のＺ方向側の壁面２１２ａ１’に当接し、他方の突出部１２２ａ’の外面がＺ’方向側の壁面２１２ａ２’に当接する。第２固定部１２０ａ’のベース１２１ａ’が第２部２１２ａ’のＸ方向側の壁面に当接し、突出部１２２ａ’のＸ’方向の端面が第２部２１２ａ’のＸ’方向側の壁面に当接する。これにより、第２固定部１２０ａ’がＺ−Ｚ’方向およびＸ−Ｘ’方向において収容孔２１０ａ’の第２部２１２ａ’に位置固定される。連結部１３０ａ’の当接面が収容孔２１０ａ’の第３、第４部２１３ａ’、２１４ａのＸ方向側の壁面に当接する。第１固定部１１０ａ’の一方の突出部１１２ａ’の外面が第１部２１１ａ’のＺ方向側の壁面２１１ａ１’に当接し、他方の突出部１１２ａ’の外面がＺ’方向側の壁面２１１ａ２’に当接する。第１固定部１１０ａ’のベース１１１ａ’が第１部２１１ａ’のＸ方向側の壁面に当接し、突出部１１２ａ’のＸ’方向の端面が第１部２１１ａ’のＸ’方向側の壁面に当接する。これにより、第１固定部１１０ａ’がＺ−Ｚ’方向およびＸ−Ｘ’方向において収容孔２１０ａ’の第１部２１１ａ’に位置固定される。第１可動接点部１４０ａ’の自由端１４２ａ’が挿入孔２３０ａ’の壁面２３１ａ’よりもＺ方向側に配置される。第２可動接点部１５０ａ’の自由端１５２ａ’が挿入孔２３０ａ’の壁面２３２ａ’よりもＺ’方向側に配置される。第１付勢部１８１ａ’が収容孔２１０ａ’の壁面２１４ａ１’と間隙を有して配置される。第２付勢部１８２ａ’が収容孔２１０ａ’の壁面２１４ａ２’と間隙を有して配置される。
【００９６】
上記コネクタＣ２が相手方コネクタに接続されると、相手方コネクタの端子がボディ２００’の挿入孔２３０ａ’から収容孔２１０ａ’に挿入される。すると、相手方コネクタの端子が端子１００ａ’の第１、第２可動接点部１４０ａ’、１５０ａ’の間に挿入され、第１、第２可動接点部１４０ａ’、１５０ａ’の接触部１４３ａ’、１５３ａ’が相手方コネクタの端子に押圧される（荷重が加えられる）。これにより、第１、第２可動接点部１４０ａ’、１５０ａ’が互いに離れる方向に弾性変形する。具体的には、第１可動接点部１４０ａ’が初期位置からＺ方向に弾性変形し、当該第１可動接点部１４０ａ’が第１当接部１９１ａ’をＺ方向に押圧する。これにより、第１当接部１９１ａ’がＺ方向に変位すると共に、第１付勢部１８１ａ’がＺ方向に弾性変形する。第２可動接点部１５０ａ’が初期位置からＺ’方向に弾性変形し、当該第２可動接点部１５０ａ’が第２当接部１９２ａ’をＺ’方向に押圧する。これにより、第２当接部１９２ａ’がＺ’方向に変位すると共に、第２付勢部１８２ａ’がＺ’方向に弾性変形する。このように第１、第２可動接点部１４０ａ’、１５０ａ’の接触部１４３ａ’、１５３ａ’が相手方コネクタの端子を大きな接触圧で挟持する。これにより、端子１００ａ’と相手方コネクタの端子とが接続される。
【００９７】
上述したコネクタＣ２は、コネクタＣ１の第１〜第３および第５の技術的特徴と同様の技術的特徴を有する。また、コネクタＣ２は以下の技術的特徴も有する。相手方コネクタの端子が端子１００ａ’の第１、第２可動接点部１４０ａ’、１５０ａ’間に小さな荷重で挿入できる一方、第１、第２可動接点部１４０ａ’、１５０ａ’が相手方コネクタの端子を挟持するときの第１、第２可動接点部１４０ａ’、１５０ａ’の相手方コネクタの端子に対する接触圧を増大させることができる。その理由は以下の通りである。初期位置に位置した第１、第２可動接点部１４０ａ’、１５０ａ’は、第１、第２当接部１９１ａ’、１９２ａ’に非接触である。このため、相手方コネクタの端子が端子１００ａ’の第１、第２可動接点部１４０ａ’、１５０ａ’間に挿入されると、小さな荷重で第１、第２可動接点部１４０ａ’、１５０ａ’が互いに離れる方向に弾性変形可能である。一方、第１、第２可動接点部１４０ａ’、１５０ａ’が互いに離れる方向に弾性変形すると、第１、第２可動接点部１４０ａ’、１５０ａ’が第１、第２当接部１９１ａ’、１９２ａ’を介して第１、第２付勢部１８１ａ’、１８２ａ’を押圧し、当該第１、第２付勢部１８１ａ’、１８２ａ’を弾性変形させる。これにより、第１、第２付勢部１８１ａ’、１８２ａ’の付勢力が、第１、第２可動接点部１４０ａ’、１５０ａ’に加わるので、挟持するときの第１、第２可動接点部１４０ａ’、１５０ａ’の相手方コネクタの端子に対する接触圧を増大させることができる。
【００９８】
なお、上述したコネクタおよび端子は、上記実施例に限定されるものではなく、特許請求の範囲の記載範囲において任意に設計変更することが可能である。以下、詳しく述べる。
【００９９】
本発明のボディは、以下の条件を有する限り任意に設計変更することが可能である。第１は、ボディが絶縁樹脂製であることである。第２は、ボディが第１方向に延びた収容孔を有し、この収容孔が第１方向に間隔をあけて配置された第１、第２部を有することである。本発明の収容孔の第１部の形と第２部の形とは、同じであっても良いし、異なっていても良い。具体的には、本発明の収容孔の第１部の形は、本発明の端子の第１固定部を前記第１方向に交差する第２方向において固定可能である限り任意に設計変更可能である。本発明の収容孔の第２部の形は、本発明の端子の第２固定部を前記第１方向に交差する第２方向において固定可能である限り任意に設計変更可能である。本発明の収容孔の第１、第２部の間の部分は、少なくとも端子の連結部および第１可動接点部を収容し得る限り任意に設計変更することが可能である。
【０１００】
本発明のボディの挿入孔は、ボディの収容孔に連通するように、当該収容孔よりも第１方向の一方側に設けられている限り任意に設計変更することが可能である。挿入孔の第２方向の寸法が収容孔の第２方向の寸法よりも大きくても良いし、小さくても良いし、略同じであっても良い。挿入孔の第１、第２方向に交差する第３方向の寸法も、収容孔の第３方向の寸法よりも大きくても良いし、小さくても良いし、略同じであっても良い。本発明のボディのケーブル収容孔、係合溝および／又はスリットは省略可能である。
【０１０１】
本発明の端子は、ボディの収容孔の第１部に固定可能な第２方向の寸法を有する第１固定部と、前記第１固定部と前記第１方向に間隔をあけて配置されており且つ前記ボディの前記収容孔の第２部に固定可能な前記第２方向の寸法を有する第２固定部と、前記第１固定部と前記第２固定部とを連結しており且つ前記第１、第２固定部の前記第２方向の寸法よりも小さい前記第２方向の寸法を有する連結部と、前記第１固定部から前記第２固定部側に延びており且つ前記第２方向に弾性変形可能な第１可動接点部とを備えている限り任意に設計変更することが可能である。
【０１０２】
本発明の端子の第１固定部は、ボディの収容孔の第１部に固定可能な第２方向の寸法を有する限り任意に設計変更することが可能である。例えば、第１固定部は、ボディの収容孔の第１部に固定可能な第２方向の寸法を有するベースのみを有する構成する構成とすることが可能である。また、第１固定部は、ボディの収容孔の第１部に固定可能な第２方向の寸法および第３方向の寸法を有する構成とすることが可能である。例えば、第１固定部は、断面Ｔ字状や断面Ｌ字状となるように、ボディの収容孔の第１部に固定可能な第２方向の寸法を有するベースと、このベース上に設けられた突出部とを有する構成とすることが可能である。
【０１０３】
本発明の端子の第２固定部は、ボディの収容孔の第２部に固定可能な第２方向の寸法を有する限り任意に設計変更することが可能である。例えば、第２固定部は、ボディの収容孔の第２部に固定可能な第２方向の寸法を有するベースのみを有する構成する構成とすることが可能である。また、第２固定部は、ボディの収容孔の第２部に固定可能な第２方向の寸法および第３方向の寸法を有する構成とすることが可能である。例えば、第２固定部は、断面Ｔ字状や断面Ｌ字状となるように、ボディの収容孔の第２部に固定可能な第２方向の寸法を有するベースと、このベース上に設けられた突出部とを有する構成とすることが可能である。
【０１０４】
本発明の端子の連結部は、第１固定部と第２固定部とを連結しており且つ前記第１、第２固定部の第２方向の寸法よりも小さい前記第２方向の寸法を有する限り任意に設計変更することが可能である。連結部の当接面の凹部は省略可能である。連結部の当接面には、凹部に代えて孔を設けることも可能である。連結部は、ボディの収容孔の何れの壁面にも接触しない構成とするとすることが可能である。また、連結部の第１方向の寸法が、第１可動接点部の第１方向の寸法よりも小さくすることが可能である。この場合、第２固定部は、第１可動接点部の自由端よりも第１方向の他方側に配置される。
【０１０５】
本発明の端子の第１可動接点部は、第１固定部から第２固定部側に延びており且つ第２方向に弾性変形可能である限り任意に設計変更することが可能である。例えば、第１可動接点部は、第１固定部から第２固定部側に延びており且つ第２方向に湾曲した略Ｕ字状とすることが可能である。第１可動接点部は、第１固定部から第２固定部側に延びた後、当該第１固定部側に折り返された形状とすることが可能である。第１可動接点部は、第１固定部に固定された固定端と、前記固定端の反対側の端である自由端とを有する構成とすることが可能である。又は、第１可動接点部は、第１固定部に固定された固定端と、前記固定端の反対側の端である自由端と、前記固定端と前記自由端との間に設けられた接触部とを有する構成とすることが可能である。
【０１０６】
第１可動接点部の自由端は、ボディの挿入孔の第２方向の一方側の壁面よりも第２方向の一方側に位置していても良いし、ボディの挿入孔の第２方向の一方側の壁面よりも第２方向の他方側に位置していても良いし、ボディの挿入孔の第２方向の一方側の壁面に沿って第２方向に延びた仮想延長上に位置していても良い。第１可動接点部の自由端は、当該第１可動接点部が初期位置に位置しているときに、ボディの収容孔の第２方向の一方側の壁面に間隙を有して配置されていても良いし、ボディの収容孔の第２方向の一方側の壁面に当接していても良い。固定端から接触部までの第２方向の距離は、自由端から接触部までの第２方向の距離よりも大きくても良いし、小さくても良いし、略同じであっても良い。
【０１０７】
本発明の端子の第２可動接点部は省略可能である。本発明の端子の第２可動接点部は、第１固定部から第２固定部側に延びており且つ第２方向に弾性変形可能である限り任意に設計変更することが可能である。例えば、第２可動接点部は、第１固定部から第２固定部側に延びた略Ｕ字状とすることが可能である。第２可動接点部は、第１固定部から第２固定部側に延びた後、当該第１固定部側に折り返された形状とすることが可能である。第２可動接点部は、第２固定部に固定された固定端と、前記固定端の反対側の端である自由端とを有する構成とすることが可能である。又は、第２可動接点部は、第２固定部に固定された固定端と、前記固定端の反対側の端である自由端と、前記固定端と前記自由端との間に設けられた接触部とを有する構成とすることが可能である。
【０１０８】
第２可動接点部の自由端は、ボディの挿入孔の第２方向の他方側の壁面よりも第２方向の一方側に位置していても良いし、ボディの挿入孔の第２方向の他方側の壁面よりも第２方向の他方側に位置していても良いし、ボディの挿入孔の第２方向の他方側の壁面に沿って第２方向に延びた仮想延長上に位置していても良い。第２可動接点部の自由端は、当該第２可動接点部が初期位置に位置しているときに、ボディの収容孔の第２方向の他方側の壁面に間隙を有して配置されていても良いし、ボディの収容孔の第２方向の他方側の壁面に当接していても良い。固定端から接触部までの第２方向の距離は、自由端から接触部までの第２方向の距離よりも大きくても良いし、小さくても良いし、略同じであっても良い。第１可動接点部の接触部が、第２可動接点部の接触部よりも第１方向の一方側又は他方側に位置した構成とすることが可能である。すなわち、第１、第２可動接点部の形状が相違していてもよい。この場合、第１、第２可動接点部の固有振動数が相違するので、第１、第２可動接点部が相手方コネクタの端子を弾性的に挟持した状態で、振動および又は衝撃を受けたとしても、第１、第２可動接点部の少なくとも一方と相手方コネクタの端子とが接続された状態を維持することができる可能性が向上する。
【０１０９】
本発明の端子の接続部は省略可能である。この場合、端子は、基板等に接続される構成とすることが可能である。本発明の端子の保持部は省略可能である。本発明のケーブルは省略可能である。
【０１１０】
本発明の端子の第１、第２付勢部は、省略可能である。上述のとおり第２可動接点部が省略される場合には、第２付勢部のみを省略することが可能である。第１付勢部は、第１可動接点部の第２方向の一方側に位置するように、第２固定部から第１固定部側に延びており且つ第１可動接点部が第２方向の一方側に弾性変形したとき、当該第１可動接点部に直接的又は間接的に第２方向の一方側に押圧され、第２方向の一方側に弾性変形可能な構成である限り任意に設計変更することが可能である。例えば、第１付勢部は、第１可動接点部が第２方向の一方側に弾性変形したとき、当該第１可動接点部に直接的に押圧されるように、折り曲げられたり湾曲したりしていても良い。第２付勢部も同様に設計変更可能である。第１、第２付勢部の形状は同一である必要はなく、相違していても良い。なお、第１、第２付勢部が第１、第２可動接点部に直接的に押圧される場合には、第１、第２当接部は省略可能である。
【０１１１】
本発明のシールドケースは省略可能である。シールドケースはボディの外周を覆うことができる限り任意に設計変更することが可能である。本発明のケースは省略可能である。
【０１１２】
なお、上記実施例におけるコネクタおよび端子の各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。本発明の第１方向は、ボディの収容孔の長さ方向である限り任意に変更することが可能である。本発明の第２方向は、前記第１方向に交差している限り任意に変更することが可能である。本発明の第３方向は、前記第１、第２方向に交差している限り任意に変更することが可能である。
【符号の説明】
【０１１３】
１００ａ、１００ｂ・・・・・端子
１１０ａ、１１０ｂ・・・・第１固定部
１１１ａ・・・・・・・・ベース
１１２ａ・・・・・・・・突出部
１２０ａ、１２０ｂ・・・・第２固定部
１２１ａ・・・・・・・・ベース
１２２ａ・・・・・・・・突出部
１３０ａ、１３０ｂ・・・・連結部
１３１ａ、１３１ｂ・・・当接面
１３２ａ、１３２ｂ・・・凹部
１４０ａ、１４０ｂ・・・・第１可動接点部
１４１ａ、１４１ｂ・・・固定端
１４２ａ、１４２ｂ・・・自由端
１４３ａ、１４３ｂ・・・接触部
１５０ａ、１５０ｂ・・・・第２可動接点部
１５１ａ、１５１ｂ・・・固定端
１５２ａ、１５２ｂ・・・自由端
１５３ａ、１５３ｂ・・・接触部
１６０ａ、１６０ｂ・・・・接続部
１７０ａ、１７０ｂ・・・・保持部
１８１ａ、１８１ｂ・・・・第１、第２付勢部
２００・・・・・・・・・・・ボディ
２１０ａ、２１０ｂ・・・・収容孔
２１１ａ、２１１ｂ・・・第１部
２１２ａ、２１２ｂ・・・第２部
２１３ａ、２１３ｂ・・・第３部
２２０ａ、２２０ｂ・・・・ケーブル収容孔
２３０ａ、２３０ｂ・・・・挿入孔
２４０ａ、２４０ｂ・・・・係合溝
２５０・・・・・・・・・・スリット
３００・・・・・・・・・・・遮蔽板
４００・・・・・・・・・・・シールドケース
５００・・・・・・・・・・・ケーブル
６００・・・・・・・・・・・リング
７００・・・・・・・・・・・ケース
【図１Ａ】
2015069741.tif 000003
【図１Ｂ】
2015069741.tif 000004
【図２Ａ】
2015069741.tif 000005
【図２Ｂ】
2015069741.tif 000006
【図２Ｃ】
2015069741.tif 000007
【図３Ａ】
2015069741.tif 000008
【図３Ｂ】
2015069741.tif 000009
【図４Ａ】
2015069741.tif 000010
【図４Ｂ】
2015069741.tif 000011
【図５】
2015069741.tif 000012
【図６】
2015069741.tif 000013
【手続補正書】
【提出日】平成26年9月22日(2014.9.22)
【手続補正１】
【補正対象書類名】明細書
【補正対象項目名】００４２
【補正方法】変更
【補正の内容】
【００４２】
二つの収容孔２１０ａは、図２Ａに最も良く示されるように、ボディ２００のＸ方向側の部分にＺ−Ｚ’方向に間隔をあけて設けられている。収容孔２１０ａはＹ−Ｙ’方向に延びた角孔である。各収容孔２１０ａは、第１部２１１ａと、第２部２１２ａと、第３部２１３ａとを有している。第１部２１１ａは、収容孔２１０ａのＹ’方向の端部である。第２部２１２ａは、収容孔２１０ａのＹ方向の端部である。第３部２１３ａは、第１、第２部２１１ａ、２１２ａ間の部分である。第１部２１１ａ、第２部２１２ａおよび第３部２１３ａの形は同じである。第１部２１１ａは、Ｚ方向側の壁面２１１ａ１と、Ｚ’方向側の壁面２１１ａ２と、Ｘ方向側の壁面２１１ａ３（図２Ｂ参照）と、Ｘ’方向側の壁面２１１ａ４（図２Ｂ参照）とを有している。第２部２１２ａは、Ｚ方向側の壁面２１２ａ１と、Ｚ’方向側の壁面２１２ａ２と、Ｘ方向側の壁面２１２ａ３（図２Ｂ参照）と、Ｘ’方向側の壁面２１２ａ４（図２Ｂ参照）とを有している。第３部２１３ａは、Ｚ方向側の壁面２１３ａ１と、Ｚ’方向側の壁面２１３ａ２と、Ｘ方向側の壁面２１３ａ３（図２Ｂ参照）と、Ｘ’方向側の壁面２１３ａ４（図２Ｂ参照）とを有している。
【手続補正２】
【補正対象書類名】明細書
【補正対象項目名】００５０
【補正方法】変更
【補正の内容】
【００５０】
第１固定部１１０ａは、ボディ２００の収容孔２１０ａの第１部２１１ａ内に固定されるＺ−Ｚ’方向の寸法およびＸ−Ｘ’方向の寸法を有している。Ｄ１は、図２Ａに示すように、突出部１１２ａの外面（図２Ａの図示上下面）間のＺ−Ｚ’方向の距離である。Ｄ１は、収容孔２１０ａの第１部２１１ａのＺ−Ｚ’方向の寸法と略同じ又は若干小さい。このため、一方の突出部１１２ａの外面が第１部２１１ａのＺ方向側の壁面２１１ａ１に当接し、他方の突出部１１２ａの外面がＺ’方向側の壁面２１１ａ２に当接している。Ｄ２は、図２Ｂに示すように、ベース１１１ａのＸ−Ｘ’方向の寸法と突出部１１２ａのＸ−Ｘ’方向の寸法との和である。Ｄ２は、収容孔２１０ａの第１部２１１ａのＸ−Ｘ’方向の寸法と略同じ又は若干小さい。このため、ベース１１１ａが第１部２１１ａのＸ方向側の壁面２１１ａ３に当接し、突出部１１２ａのＸ’方向の端面が第１部２１１ａのＸ’方向側の壁面２１１ａ４に当接している。係合片１１３ａが係合溝２４０ａに係合されている。
【手続補正３】
【補正対象書類名】明細書
【補正対象項目名】００５２
【補正方法】変更
【補正の内容】
【００５２】
第２固定部１２０ａは、ボディ２００の収容孔２１０ａの第２部２１２ａ内に固定されるＺ−Ｚ’方向の寸法およびＸ−Ｘ’方向の寸法を有している。Ｄ３は、図２Ａに示すように、突出部１２２ａの外面（図２Ａの図示上下面）間のＺ−Ｚ’方向の距離である。Ｄ３は、収容孔２１０ａの第２部２１２ａのＺ−Ｚ’方向の寸法と略同じ又は若干小さい。このため、一方の突出部１２２ａの外面が第２部２１２ａのＺ方向側の壁面２１２ａ１に当接し、他方の突出部１２２ａの外面がＺ’方向側の壁面２１２ａ２に当接する。Ｄ４は、図２Ｂに示すように、ベース１２１ａのＸ−Ｘ’方向の寸法と突出部１２２ａのＸ−Ｘ’方向の寸法との和である。Ｄ４は、収容孔２１０ａの第２部２１２ａのＸ−Ｘ’方向の寸法と略同じ又は若干小さい。このため、ベース１２１ａが第２部２１２ａのＸ方向側の壁面２１２ａ３に当接し、突出部１２２ａのＸ’方向の端面が第２部２１２ａのＸ’方向側の壁面２１２ａ４に当接する。なお、Ｄ３はＤ１と同じである。Ｄ４はＤ２と同じである。
【手続補正４】
【補正対象書類名】明細書
【補正対象項目名】００６３
【補正方法】変更
【補正の内容】
【００６３】
シールドケース４００は、図３Ａ〜図３Ｂに示すように、金属板で構成されている。シールドケース４００は、第１シェル４１０と、第２シェル４２０と、リング状の保持部４３０とを有している。第１、第２シェル４１０、４２０は、角筒状の金属板であって、互いにＹ−Ｙ’方向に間隔をあけて配置されている。第１、第２シェル４１０、４２０のＺ’方向の金属板が相互に接続されている。第１シェル４１０のＸ方向の金属板、Ｘ’方向の金属板およびＺ’方向の金属板には、係合片４１１が各々設けられている。第１シェル４１０の内形がボディ２００の外形に対応している。第１、第２シェル４１０、４２０内に、端子１００ａ、１００ｂおよび遮蔽板３００が取り付けられたボディ２００が収容されている。第２シェル４２０内には、端子１００ａ、１００ｂに接続された信号線５２０の突出部も収容されている。第２シェル４２０のＸ−Ｘ’方向の両内面には、ボディ２００のスリット２５０に挿入された遮蔽板３００の接続アーム３１０が接触している。これにより、シールドケース４００と遮蔽板３００とが電気的に接続されている。  
【手続補正５】
【補正対象書類名】明細書
【補正対象項目名】００６８
【補正方法】変更
【補正の内容】
【００６８】
以下、上述した構成のコネクタＣ１を組み立てる手順について詳しく説明する。まず、ボディ２００および遮蔽板３００を用意する。遮蔽板３００をボディ２００のスリット２５０に挿入する。すると、遮蔽板３００の一方の接続アーム３１０がスリット２５０からＸ方向に突出し、他方の接続アーム３１０がＸ’方向に突出する。  
【手続補正６】
【補正対象書類名】明細書
【補正対象項目名】００６９
【補正方法】変更
【補正の内容】
【００６９】
その後、端子１００ａ、１００ｂおよびケーブル５００を用意する。その後、ケーブル５００の信号線５２０の芯線５２１の突出部を端子１００ａ、１００ｂの接続部１６０ａ、１６０ｂに各々圧着又ははんだ付けし、固着させる。その後、信号線５２０の絶縁体５２２を端子１００ａ、１００ｂの保持部１７０ａ、１７０ｂに各々保持させる。その後、端子１００ａを、ボディ２００のケーブル収容孔２２０ａから収容孔２１０ａに各々挿入する。このとき、端子１００ａの第２固定部１２０ａが収容孔２１０ａの壁面（第１部２１１ａの壁面２１１ａ１〜２１１ａ４、第３部２１３ａの壁面２１３ａ１〜２１３ａ４および第２部２１２ａの壁面２１２ａ１〜２１２ａ４）上をスライドしつつ、当該収容孔２１０ａに収容される。第１固定部１１０ａが、収容孔２１０ａの壁面（第１部２１１ａの壁面２１１ａ１〜２１１ａ４）上をスライドしつつ、当該収容孔２１０ａに収容される。連結部１３０ａは、当接面１３１ａが収容孔２１０ａの第１部２１１ａのＸ方向側の壁面２１１ａ３および第３部２１３ａのＸ方向側の壁面２１３ａ３上をスライドしつつ、当該収容孔２１０ａに収容される。この収容時において、連結部１３０ａは、Ｚ−Ｚ’方向およびＸ’方向において収容孔２１０ａと非接触である。第１、第２可動接点部１４０ａ、１５０ａは、連結部１３０ａと共に、Ｚ−Ｚ’方向およびＸ−Ｘ’方向において収容孔２１０ａの壁面に非接触で収容孔２１０ａに収容される。端子１００ａの接続部１６０ａ、保持部１７０ａおよびこれらに保持されたケーブル５００の信号線５２０の突出部が、ボディ２００のケーブル収容孔２２０ａに各々収容される。  
【手続補正７】
【補正対象書類名】明細書
【補正対象項目名】００７２
【補正方法】変更
【補正の内容】
【００７２】
その後、シールドケース４００を用意する。その後、ボディ２００をシールドケース４００の第２、第１シェル４２０、４１０に挿入する。すると、ボディ２００が第２、第１シェル４２０、４１０内に嵌合する。このとき、ボディ２００に取り付けられた遮蔽板３００の一対の接続アーム３１０が第２シェル４２０のＸ−Ｘ’方向の両内面に接触する。ケーブル５００の信号線５２０のケーブル収容孔２２０ａ、２２０ｂから突出した部分が第２シェル４２０に挿入される。その後、シールドケース４００の保持部４３０にケーブル５００の上記外側導体の外側絶縁体５１０から突出した部分を保持させる。これにより、シールドケース４００および遮蔽板３００がケーブル５００の上記外側導体に電気的に接続される。
【手続補正８】
【補正対象書類名】明細書
【補正対象項目名】００７７
【補正方法】変更
【補正の内容】
【００７７】
第２に、端子１００ａをボディ２００の収容孔２１０ａに収容させ易い。なぜなら、端子１００ａの連結部１３０ａのＺ−Ｚ’方向の寸法が、第１、第２固定部１１０ａ、１２０ａのＺ−Ｚ’方向の寸法よりも小さい。よって、端子１００ａをボディ２００の収容孔２１０ａに挿入するとき、連結部１３０ａの当接面１３１ａが収容孔２１０ａのＸ方向側の壁面２１１ａ３、２１３ａ３上をスライドするものの、連結部１３０ａが収容孔２１０ａのＺ方向側の壁面２１１ａ１、２１３ａ１およびＺ’方向側の壁面２１１ａ２、２１３ａ２上をスライドしない。また、当接面１３１ａに凹部１３２ａが設けられているため、壁面２１１ａ３、２１３ａ３に対する接触面積が低減されている。端子１００ｂも、端子１００ａと同様の理由で、ボディ２００の収容孔２１０ｂに収容させ易い。  
【手続補正９】
【補正対象書類名】明細書
【補正対象項目名】００８３
【補正方法】変更
【補正の内容】
【００８３】
収容孔２１０ａ’はボディ本体に設けられ、Ｙ−Ｙ’方向に延びている。収容孔２１０ａ’は、Ｘ’方向に開口している。この収容孔２１０ａ’の開口が、カバーによって閉塞されている。収容孔２１０ａ’は、第１部２１１ａ’と、第２部２１２ａ’と、第３部２１３ａ’と、第４部２１４ａ’とを有している。第１部２１１ａ’は、収容孔２１０ａ’のＹ’方向の端部である。第１部２１１ａ’は、実施例１の第１部２１１ａと同じ構成である。第１部２１１ａ’は、Ｚ方向側の壁面２１１ａ１’と、Ｚ’方向側の壁面２１１ａ２’と、Ｘ方向側の壁面と、Ｘ’方向側の壁面（カバーの一部）とを有している。第２部２１２ａ’は、収容孔２１０ａ’のＹ方向の端部である。第２部２１２ａ’のＺ−Ｚ’方向の寸法は、第１部２１１ａ’のＺ−Ｚ’方向の寸法よりも大きい。第２部２１２ａ’のＸ−Ｘ’方向の寸法は、第１部２１１ａ’のＸ−Ｘ’方向の寸法と同じである。第２部２１２ａ’は、Ｚ方向側の壁面２１２ａ１’と、Ｚ’方向側の壁面２１２ａ２’と、Ｘ方向側の壁面と、Ｘ’方向側の壁面（カバーの一部）とを有している。第３部２１３ａ’および第４部２１４ａ’は、第１、第２部２１１ａ’、２１２ａ’間に設けられている。第３部２１３ａ’は、第４部２１４ａ’よりも第１部２１１ａ’側に位置している。第３部２１３ａ’のＺ−Ｚ’方向の寸法が、第１部２１１ａ’のＺ−Ｚ’方向の寸法と同じである。第３部２１３ａ’のＸ−Ｘ’方向の寸法が、第１部２１１ａ’のＸ−Ｘ’方向の寸法と同じである。第３部２１３ａ’は、Ｚ方向側の壁面と、Ｚ’方向側の壁面と、Ｘ方向側の壁面と、Ｘ’方向側の壁面（カバーの一部）とを有している。第４部２１４ａ’は、第３部２１３ａ’よりも第２部２１２ａ’側に位置している。第４部２１４ａ’のＺ−Ｚ’方向の寸法が、第２部２１２ａ’のＺ−Ｚ’方向の寸法よりも大きい。第４部２１４ａ’のＸ−Ｘ’方向の寸法が、第２部２１２ａ’のＸ−Ｘ’方向の寸法と同じである。第４部２１４ａ’は、Ｚ方向側の壁面２１４ａ１’と、Ｚ’方向側の壁面２１４ａ２’と、Ｘ方向側の壁面と、Ｘ’方向側の壁面（カバーの一部）とを有している。
【手続補正１０】
【補正対象書類名】明細書
【補正対象項目名】００８４
【補正方法】変更
【補正の内容】
【００８４】
ケーブル収容孔２２０ａ’は、ボディ本体の収容孔２１０ａ’に連通するように、収容孔２１０ａ’よりもＹ’方向側の部分に設けられている。ケーブル収容孔２２０ａ’はＹ’方向およびＸ’方向に開口している。ケーブル収容孔２２０ａ’のＸ’方向の開口はカバーによって閉塞されている。挿入孔２３０ａ’は、ボディ２００’の収容孔２１０ａ’に連通するように、収容孔２１０ａ’よりもＹ方向側の部分に設けられている。    
【手続補正１１】
【補正対象書類名】明細書
【補正対象項目名】００８７
【補正方法】変更
【補正の内容】
【００８７】
第２固定部１２０ａ’は、断面視略Ｃ字状の金属板である。第２固定部１２０ａ’は、ベース１２１ａ’のＺ−Ｚ’方向の寸法が、実施例１の第２固定部１２０ａのベース１２１ａのＺ−Ｚ’方向よりも大きい点で、第２固定部１２０ａと相違する以外、略同じ構成である。よって、第２固定部１２０ａ’についても、実施例１の第２固定部１２０ａと重複する説明は省略する。ベース１２１ａ’のＺ−Ｚ’方向の寸法は、第１固定部１１０ａ’のベース１１１ａ’のＺ−Ｚ’方向の寸法よりも大きい。一対の突出部１２２ａ’のうちの一方の突出部１２２ａ’は、第１可動接点部１４０ａ’よりもＺ方向側に位置し、他方の突出部１２２ａ’は、第２可動接点部１５０ａ’よりもＺ’方向側に位置している。
【手続補正１２】
【補正対象書類名】明細書
【補正対象項目名】００９０
【補正方法】変更
【補正の内容】
【００９０】
第１付勢部１８１ａ’は、第１可動接点部１４０ａ’のＺ方向側に位置するように、一方の突出部１２２ａ’からＹ’方向側（第１固定部１１０ａ’側）に延びた金属板である。第１付勢部１８１ａのＹ−Ｙ’方向の寸法は、収容孔２１０ａの第４部２１４ａ’のＹ−Ｙ’方向の寸法よりも小さい。第１付勢部１８１ａ’は、第４部２１４ａ’内に、Ｚ方向側の壁面２１４ａ１’とＺ−Ｚ’方向において間隙を有して配置されている。第１付勢部１８１ａ’は、初期位置からＺ方向側に弾性変形可能である。第１付勢部１８１ａ’の初期位置は、第１付勢部１８１ａ’と壁面２１４ａ１’とが略平行な位置である。
【手続補正１３】
【補正対象書類名】明細書
【補正対象項目名】００９１
【補正方法】変更
【補正の内容】
【００９１】
第２付勢部１８２ａ’は、第２可動接点部１５０ａ’のＺ’方向側に位置するように、他方の突出部１２２ａ’からＹ’方向側（第１固定部１１０ａ’側）に延びた金属板である。第２付勢部１８２ａのＹ−Ｙ’方向の寸法は、収容孔２１０ａの第４部２１４ａ’のＹ−Ｙ’方向の寸法よりも小さい。第２付勢部１８２ａ’は、第４部２１４ａ’内に、Ｚ’方向側の壁面２１４ａ２’とＺ−Ｚ’方向において間隙を有して配置されている。第２付勢部１８２ａ’は、初期位置からＺ’方向側に弾性変形可能である。第２付勢部１８２ａ’の初期位置は、第２付勢部１８２ａ’と壁面２１４ａ２’とが略平行な位置である。
【手続補正１４】
【補正対象書類名】明細書
【補正対象項目名】００９２
【補正方法】変更
【補正の内容】
【００９２】
第１当接部１９１ａ’は、第１付勢部１８１ａ’からＺ’方向に延びた金属板である。第１当接部１９１ａ’は、第４部２１４ａ’内に、第１可動接点部１４０ａ’と間隙を有して配置されている。第１当接部１９１ａ’は、第１付勢部１８１ａ’の弾性変形に伴って、Ｚ方向に変位可能である。
【手続補正１５】
【補正対象書類名】明細書
【補正対象項目名】００９３
【補正方法】変更
【補正の内容】
【００９３】
第２当接部１９２ａ’は、第２付勢部１８２ａ’からＺ方向に延びた金属板である。第２当接部１９２ａ’は、第４部２１４ａ’内に、第２可動接点部１５０ａ’と間隙を有して配置されている。第２当接部１９２ａ’は、第２付勢部１８２ａ’の弾性変形に伴って、Ｚ’方向に変位可能である。
【手続補正１６】
【補正対象書類名】明細書
【補正対象項目名】００９４
【補正方法】変更
【補正の内容】
【００９４】
以下、上述した端子１００ａ’をボディ２００’の収容孔２１０ａ’およびケーブル収容孔２２０ａ’に挿入する手順について詳しく説明する。まず、端子１００ａ’およびケーブルを用意する。その後、ケーブルの芯線の絶縁体から突出した部分を端子１００ａ’の接続部１６０ａ’に圧着又ははんだ付けし、固着させる。その後、ケーブルの絶縁体を端子１００ａ’の保持部１７０ａ’に保持させる。その後、ボディ本体を用意する。端子１００ａ’を、Ｘ’方向からボディ本体の収容孔２１０ａ’およびケーブル収容孔２２０ａ’に挿入する。このとき、端子１００ａ’の第２固定部１２０ａ’の一対の突出部１２２ａ’が第２部２１２ａ’の壁面２１２ａ１’、２１２ａ２’上をスライドしつつ、第２部２１２ａ’に収容される。端子１００ａ’の第１固定部１１０ａ’の一対の突出部１１２ａ’が、第１部２１１ａ’の壁面２１１ａ１’、２１１ａ２’上をスライドしつつ、当該収容孔２１０ａ’に収容される。連結部１３０ａ’および第１、第２可動接点部１４０ａ’、１５０ａ’は、Ｚ−Ｚ’方向およびＸ−Ｘ’方向において収容孔２１０ａ’の第３部２１３ａ’および第４部２１４ａ’の壁面に非接触で、当該第３部２１３ａ’および第４部２１４ａ’内に収容される。第１、第２付勢部１８１ａ’、１８２ａおよび第１、第２当接部１９１ａ’、１９２ａ’は、Ｚ−Ｚ’方向およびＸ−Ｘ’方向において収容孔２１０ａ’の第３部２１３ａ’の壁面に非接触で、当該第３部２１３ａ’内に収容される。接続部１６０ａ’、保持部１７０ａ’およびこれらに保持されたケーブルの一部が、ケーブル収容孔２２０ａ’に収容される。その後、カバーを用意する。カバーをボディ本体に固着させ、カバーに収容孔２１０ａ’およびケーブル収容孔２２０ａ’を閉塞させる。
【手続補正１７】
【補正対象書類名】明細書
【補正対象項目名】００９５
【補正方法】変更
【補正の内容】
【００９５】
端子１００ａ’の第２固定部１２０ａ’、連結部１３０ａ’、第１、第２可動接点部１
４０ａ’、１５０ａ’、第１、第２付勢部１８１ａ’、１８２ａ’、第１、第２当接部１９１ａ’、１９２ａ’および第１固定部１１０ａ’が収容孔２１０ａ’に収容されると、第２固定部１２０ａ’の一方の突出部１２２ａ’の外面が第２部２１２ａ’のＺ方向側の壁面２１２ａ１’に当接し、他方の突出部１２２ａ’の外面がＺ’方向側の壁面２１２ａ２’に当接する。第２固定部１２０ａ’のベース１２１ａ’が第２部２１２ａ’のＸ方向側の壁面に当接し、突出部１２２ａ’のＸ’方向の端面が第２部２１２ａ’のＸ’方向側の壁面に当接する。これにより、第２固定部１２０ａ’がＺ−Ｚ’方向およびＸ−Ｘ’方向において収容孔２１０ａ’の第２部２１２ａ’に位置固定される。連結部１３０ａ’の当接面が収容孔２１０ａ’の第３、第４部２１３ａ’、２１４ａ’のＸ方向側の壁面に当接する。第１固定部１１０ａ’の一方の突出部１１２ａ’の外面が第１部２１１ａ’のＺ方向側の壁面２１１ａ１’に当接し、他方の突出部１１２ａ’の外面がＺ’方向側の壁面２１１ａ２’に当接する。第１固定部１１０ａ’のベース１１１ａ’が第１部２１１ａ’のＸ方向側の壁面に当接し、突出部１１２ａ’のＸ’方向の端面が第１部２１１ａ’のＸ’方向側の壁面に当接する。これにより、第１固定部１１０ａ’がＺ−Ｚ’方向およびＸ−Ｘ’方向において収容孔２１０ａ’の第１部２１１ａ’に位置固定される。第１可動接点部１４０ａ’の自由端１４２ａ’が挿入孔２３０ａ’の壁面２３１ａ’よりもＺ方向側に配置される。第２可動接点部１５０ａ’の自由端１５２ａ’が挿入孔２３０ａ’の壁面２３２ａ’よりもＺ’方向側に配置される。第１付勢部１８１ａ’が収容孔２１０ａ’の壁面２１４ａ１’と間隙を有して配置される。第２付勢部１８２ａ’が収容孔２１０ａ’の壁面２１４ａ２’と間隙を有して配置される。
【手続補正１８】
【補正対象書類名】図面
【補正対象項目名】図６
【補正方法】変更
【補正の内容】
【図６】
2015069741.tif 000014